(57)【要約】顧客の希望する改善部位及び該改善部位に望む改善効果を入力し、その情報に基づき、コンピュータが、該改善部位に望まれる改善効果に適する栄養成分の組成を決定し、該選択された栄養成分を改善部位に行き渡らせるための局所塗布剤を決定し、サプリメントの栄養成分の組成が事前に登録されたデータベースを参照して、該選択された栄養成分の組成を含むサプリメントを決定し、選択されたサプリメント及び局所塗布剤の情報を出力することを含む、顧客に適する局所塗布剤とサプリメントとを顧客に効率よく提供する方法を提供する。【特許請求の範囲】
【請求項１】
顧客に適するサプリメントと局所塗布剤の情報を提供する方法であって、
顧客の希望する改善部位及び該改善部位に望む改善効果を入力手段に入力するステップと、
コンピュータが、改善部位に望む改善効果と栄養成分の組成との相関の情報を事前に登録したデータベースに格納された情報を参照し、該データベースに含まれる情報から、顧客の希望する改善部位に望む改善効果に適する栄養成分の組成の情報を抽出することによって、該改善部位に望む改善効果に適する栄養成分の組成を決定するステップと、
コンピュータが、体の部位と、該部位に栄養成分を行き渡らせるために適した局所塗布剤との相関の情報を事前に登録したデータベースに格納された情報を参照し、該データベースに含まれる情報から、顧客の希望する改善部位に適する局所塗布剤を抽出することによって、該決定された栄養成分を改善部位に行き渡らせるために適した局所塗布剤を決定するステップと、
コンピュータが、サプリメントとその栄養成分の組成が事前に登録されたデータベースを参照し、該データベースに含まれる情報から、該決定された栄養成分の組成に対応するサプリメントの情報を抽出することによって、該決定された栄養成分の組成を含むサプリメントを決定するステップと、
コンピュータにより決定されたサプリメントと局所塗布剤の情報を出力手段に出力するステップとを含む、方法。
【請求項２】
決定されたサプリメントと局所塗布剤を併用する際の用法及び／又は併用により期待される効果を出力手段に出力するステップをさらに含む、請求項１に記載の方法。
【請求項３】
顧客の希望する改善部位が皮膚である、請求項１又は２に記載の方法。
【請求項４】
改善部位に望む改善効果が、皮膚のしわ改善及び／又は予防、皮膚のしみ改善及び／又は予防、頭皮の育毛促進並びに白髪予防からなる群から選ばれる少なくとも１種である、請求項１〜３のいずれか１項に記載の方法。
【請求項５】
決定された栄養成分の組成が、ビタミン、アミノ酸、ペプチド、タンパク質、ミネラル、食物繊維、脂肪酸、糖質、核酸、有機酸、菌類、動植物からの抽出物及び脂質からなる群から選ばれる少なくとも１種を含む、請求項１〜４のいずれか１項に記載の方法。
【請求項６】
決定された局所塗布剤が血行促進成分を含有する血行改善剤である、請求項１〜５のいずれか１項に記載の方法。
【請求項７】
血行促進成分が、カプシノイド類、ピロリドンカルボン酸及びその塩、ピロリドンカルボン酸エステル、アルギニン及びその塩、アルギニンオリゴマー、ニコチン酸、ナイアシン、カプサイシン、ビタミンＥ、センブリエキス、セファランチン、イソロイシン、塩化カルプロニウム、ミノキシジル、ショウキョウチンキ、カンタリスチンキ、ニコチン酸ベンジル、γ−オリザノール、ニンニクエキス、ニンジンエキス、当帰エキス、ゲンチアナエキス、ラズベリーケトン、アスタキサンチン、サポニン、ビタミンＢ１、フラボノイド、ルチン、硫化アリル、ナイアシンアミド、ニコチン酸トコフェロール、カンフル、アミノ酪酸、セファランチン、センキュウ、プラセンタエキス、オランダカラシエキス、カロットエキス、クララエキス、コムギ胚芽エキス、サフランエキス、ショウキョウエキス、センキュウエキス、ボタンエキス、アシタバエキス、ウイキョウエキス、カモミラエキス、ゴボウエキス、サンザシエキス、シイタケエキス、ショウブ根エキス、セイヨウサンザシエキス、セイヨウネズエキス、タイムエキス、チンピエキス、トウニンエキス、トウヒエキス、ノバラエキス、ブドウ葉エキス、マロニエエキス、メリッサエキス、ユズエキス、ヨクイニンエキス、ローズマリーエキス及びイチョウエキスからなる群から選ばれる少なくとも１種の有効成分を含有する、請求項６に記載の方法。
【請求項８】
決定されたサプリメントが、システイン、システイン誘導体、シスチン、シスチン誘導体、ビタミンＣ、ポリフェノール、タンニン酸、ビタミンＥ、ビタミンＥ誘導体、カテキン、ナイアシン、ハイドロキシチロソール、不飽和脂肪酸、ビタミンＰ、ビタミンＱ、グルタチオン、イソフラボン、グァバ、セレン及び酸化亜鉛からなる群から選ばれる少なくとも１種を含有するものであり、決定された局所塗布剤が血行促進成分を含有し、改善部位に望む改善効果が皮膚のしみ改善及び／又は予防である、請求項１〜７のいずれか１項に記載の方法。
【請求項９】
決定されたサプリメントが、ミネラル、ビタミン、アミノ酸、糖質、脂質、イノシトール、イオウ、核酸、コラーゲン、セサミノール及びクエン酸からなる群から選ばれる少なくとも１種を含有するものであり、局所塗布剤が血行促進成分を含有し、改善部位に望む改善効果が頭皮の育毛促進である、請求項１〜７のいずれか１項に記載の方法。
【請求項１０】
顧客が選択したサプリメントに適する局所塗布剤の情報を提供する方法であって、
サプリメントの情報を入力手段に入力するステップと、
コンピュータが、サプリメントと、サプリメントに含まれる栄養成分を改善部位に行き渡らせるために適した局所塗布剤との相関の情報を事前に登録したデータベースに格納された情報を参照し、該データベースに含まれる情報から、入力されたサプリメントに含まれる栄養成分を改善部位に行き渡らせるために適した局所塗布剤の情報を抽出することによって、該サプリメントに含まれる栄養成分を改善部位に行き渡らせるために適した局所塗布剤を決定するステップと、
コンピュータにより決定された局所塗布剤の情報を出力手段に出力するステップとを含む、方法。
【請求項１１】
サプリメントと決定された局所塗布剤とを併用する際の用法及び／又は併用により期待される効果を出力手段に出力するステップをさらに含む、請求項１０に記載の方法。
【請求項１２】
決定された局所塗布剤が血行促進成分を含有する血行改善剤である、請求項１０又は１１に記載の方法。
【請求項１３】
血行促進成分が、カプシノイド類、ピロリドンカルボン酸及びその塩、ピロリドンカルボン酸エステル、アルギニン及びその塩、アルギニンオリゴマー、ニコチン酸、ナイアシン、カプサイシン、ビタミンＥ、センブリエキス、セファランチン、イソロイシン、塩化カルプロニウム、ミノキシジル、ショウキョウチンキ、カンタリスチンキ、ニコチン酸ベンジル、γ−オリザノール、ニンニクエキス、ニンジンエキス、当帰エキス、ゲンチアナエキス、ラズベリーケトン、アスタキサンチン、サポニン、ビタミンＢ１、フラボノイド、ルチン、硫化アリル、ナイアシンアミド、ニコチン酸トコフェロール、カンフル、アミノ酪酸、セファランチン、センキュウ、プラセンタエキス、オランダカラシエキス、カロットエキス、クララエキス、コムギ胚芽エキス、サフランエキス、ショウキョウエキス、センキュウエキス、ボタンエキス、アシタバエキス、ウイキョウエキス、カモミラエキス、ゴボウエキス、サンザシエキス、シイタケエキス、ショウブ根エキス、セイヨウサンザシエキス、セイヨウネズエキス、タイムエキス、チンピエキス、トウニンエキス、トウヒエキス、ノバラエキス、ブドウ葉エキス、マロニエエキス、メリッサエキス、ユズエキス、ヨクイニンエキス、ローズマリーエキス及びイチョウエキスからなる群から選ばれる少なくとも１種の有効成分を含む、請求項１２に記載の方法。
【請求項１４】
顧客が選択した局所塗布剤に適するサプリメントの情報を提供する方法であって、
局所塗布剤の情報を入力手段に入力するステップと、
局所塗布剤と、局所塗布剤を塗布部位に行き渡らせるために適したサプリメントとの相関の情報を事前に登録したデータベースに格納された情報を参照し、該データベースに含まれる情報から、入力された局所塗布剤を塗布部位に行き渡らせるために適したサプリメントの情報を抽出することによって、該局所塗布剤を塗布部位に行き渡らせるために適したサプリメントをコンピュータが選択するステップと、
コンピュータにより選択されたサプリメントの情報を出力手段に出力するステップとを含む、方法。
【請求項１５】
サプリメントと局所塗布剤とを併用する際の用法及び／又は併用により期待される効果を出力手段に出力するステップをさらに含む、請求項１４に記載の方法。
【請求項１６】
局所塗布剤が血行促進成分を含有する血行改善剤である、請求項１４又は１５に記載の方法。
【請求項１７】
血行促進成分が、カプシノイド類、ピロリドンカルボン酸及びその塩、ピロリドンカルボン酸エステル、アルギニン及びその塩、アルギニンオリゴマー、ニコチン酸、ナイアシン、カプサイシン、ビタミンＥ、センブリエキス、セファランチン、イソロイシン、塩化カルプロニウム、ミノキシジル、ショウキョウチンキ、カンタリスチンキ、ニコチン酸ベンジル、γ−オリザノール、ニンニクエキス、ニンジンエキス、当帰エキス、ゲンチアナエキス、ラズベリーケトン、アスタキサンチン、サポニン、ビタミンＢ１、フラボノイド、ルチン、硫化アリル、ナイアシンアミド、ニコチン酸トコフェロール、カンフル、アミノ酪酸、セファランチン、センキュウ、プラセンタエキス、オランダカラシエキス、カロットエキス、クララエキス、コムギ胚芽エキス、サフランエキス、ショウキョウエキス、センキュウエキス、ボタンエキス、アシタバエキス、ウイキョウエキス、カモミラエキス、ゴボウエキス、サンザシエキス、シイタケエキス、ショウブ根エキス、セイヨウサンザシエキス、セイヨウネズエキス、タイムエキス、チンピエキス、トウニンエキス、トウヒエキス、ノバラエキス、ブドウ葉エキス、マロニエエキス、メリッサエキス、ユズエキス、ヨクイニンエキス、ローズマリーエキス及びイチョウエキスからなる群から選ばれる少なくとも１種の有効成分を含む、請求項１６に記載の方法。
【請求項１８】
カプシノイド類、ピロリドンカルボン酸及びその塩、ピロリドンカルボン酸エステル、アルギニン及びその塩、アルギニンオリゴマー、ニコチン酸、ナイアシン、カプサイシン、ビタミンＥ、センブリエキス、セファランチン、イソロイシン、塩化カルプロニウム、ミノキシジル、ショウキョウチンキ、カンタリスチンキ、ニコチン酸ベンジル、γ−オリザノール、ニンニクエキス、ニンジンエキス、当帰エキス、ゲンチアナエキス、ラズベリーケトン、アスタキサンチン、サポニン、ビタミンＢ１、フラボノイド、ルチン、硫化アリル、ナイアシンアミド、ニコチン酸トコフェロール、カンフル、アミノ酪酸、セファランチン、センキュウ、プラセンタエキス、オランダカラシエキス、カロットエキス、クララエキス、コムギ胚芽エキス、サフランエキス、ショウキョウエキス、センキュウエキス、ボタンエキス、アシタバエキス、ウイキョウエキス、カモミラエキス、ゴボウエキス、サンザシエキス、シイタケエキス、ショウブ根エキス、セイヨウサンザシエキス、セイヨウネズエキス、タイムエキス、チンピエキス、トウニンエキス、トウヒエキス、ノバラエキス、ブドウ葉エキス、マロニエエキス、メリッサエキス、ユズエキス、ヨクイニンエキス、ローズマリーエキス及びイチョウエキスからなる群から選ばれる少なくとも１種の血行促進成分を含有する局所塗布剤を経皮塗布するのと前後して、システイン、システイン誘導体、シスチン、シスチン誘導体、ビタミンＣ、ポリフェノール、タンニン酸、ビタミンＥ、ビタミンＥ誘導体、カテキン、ナイアシン、ハイドロキシチロソール、不飽和脂肪酸、ビタミンＰ、ビタミンＱ、グルタチオン、イソフラボン、グァバ、セレン及び酸化亜鉛からなる群から選ばれる少なくとも１種を含有するサプリメントを経口適用する、しみの予防・改善方法。
【請求項１９】
カプシノイド類、ピロリドンカルボン酸及びその塩、ピロリドンカルボン酸エステル、アルギニン及びその塩、アルギニンオリゴマー、ニコチン酸、ナイアシン、カプサイシン、ビタミンＥ、センブリエキス、セファランチン、イソロイシン、塩化カルプロニウム、ミノキシジル、ショウキョウチンキ、カンタリスチンキ、ニコチン酸ベンジル、γ−オリザノール、ニンニクエキス、ニンジンエキス、当帰エキス、ゲンチアナエキス、ラズベリーケトン、アスタキサンチン、サポニン、ビタミンＢ１、フラボノイド、ルチン、硫化アリル、ナイアシンアミド、ニコチン酸トコフェロール、カンフル、アミノ酪酸、セファランチン、センキュウ、プラセンタエキス、オランダカラシエキス、カロットエキス、クララエキス、コムギ胚芽エキス、サフランエキス、ショウキョウエキス、センキュウエキス、ボタンエキス、アシタバエキス、ウィキョウエキス、カモミラエキス、ゴボウエキス、サンザシエキス、シイタケエキス、ショウブ根エキス、セイヨウサンザシエキス、セイヨウネズエキス、タイムエキス、チンピエキス、トウニンエキス、トウヒエキス、ノバラエキス、ブドウ葉エキス、マロニエエキス、メリッサエキス、ユズエキス、ヨクイニンエキス、ローズマリーエキス及びイチョウエキスからなる群から選ばれる少なくとも１種の血行促進成分を含有する局所塗布剤、ならびに、該局所塗布剤が塗布される被験者に経口投与されるために用いる、システイン、システイン誘導体、シスチン、シスチン誘導体、ビタミンＣ、ポリフェノール、タンニン酸、ビタミンＥ、ビタミンＥ誘導体、カテキン、ナイアシン、ハイドロキシチロソール、不飽和脂肪酸、ビタミンＰ、ビタミンＱ、グルタチオン、イソフラボン、グァバ、セレン及び酸化亜鉛からなる群から選ばれる少なくとも１種を含有するサプリメントからなる、しみの予防・改善用キット。
【請求項２０】
しみの予防又は改善を希望する部位にカプシノイド類、カプシノイド誘導体、ピロリドンカルボン酸及びその塩、ピロリドンカルボン酸エステル、アルギニン及びその塩、アルギニンオリゴマー、ニコチン酸、ナイアシン、カプサイシン、ビタミンＥ、センブリエキス、セファランチン、イソロイシン、塩化カルプロニウム、ミノキシジル、ショウキョウチンキ、カンタリスチンキ、ニコチン酸ベンジル、γ−オリザノール、ニンニクエキス、ニンジンエキス、当帰エキス、ゲンチアナエキス、ラズベリーケトン、アスタキサンチン、サポニン、ビタミンＢ１、フラボノイド、ルチン、硫化アリル、ナイアシンアミド、ニコチン酸トコフェロール、カンフル、アミノ酪酸、セファランチン、センキュウ、プラセンタエキス、オランダカラシエキス、カロットエキス、クララエキス、コムギ胚芽エキス、サフランエキス、ショウキョウエキス、センキュウエキス、ボタンエキス、アシタバエキス、ウイキョウエキス、カモミラエキス、ゴボウエキス、サンザシエキス、シイタケエキス、ショウブ根エキス、セイヨウサンザシエキス、セイヨウネズエキス、タイムエキス、チンピエキス、トウニンエキス、トウヒエキス、ノバラエキス、ブドウ葉エキス、マロニエエキス、メリッサエキス、ユズエキス、ヨクイニンエキス、ローズマリーエキス及びイチョウエキスからなる群から選ばれる少なくとも１種の血行促進成分を含有する局所塗布剤が塗布された被験者のしみを予防又は改善するための、システイン、システイン誘導体、シスチン、シスチン誘導体、ビタミンＣ、ポリフェノール、タンニン酸、ビタミンＥ、ビタミンＥ誘導体、カテキン、ナイアシン、ハイドロキシチロソール、不飽和脂肪酸、ビタミンＰ、ビタミンＱ、グルタチオン、イソフラボン、グァバ、セレン及び酸化亜鉛からなる群から選ばれる少なくとも１種を含有するしみの予防・改善剤。
【発明の詳細な説明】
【技術分野】
【０００１】
本発明は、顧客に適する局所塗布剤とサプリメントとを顧客に効率よく提供する方法、並びにそのためのシステム及びそれに用いるプログラム、さらには局所塗布剤とサプリメントとの併用物に関する。
【背景技術】
【０００２】
従来、化粧品の分野において、化粧料によって、美白、保湿、はり改善等の美肌効果（以下これらをまとめて単に「美肌効果」ともいう）を皮膚において発揮させることを意図する場合には、化粧料の外用塗布形態が一般的には採用されている。また、近年、「内側から美しく」といった観点で、ビタミン類やコラーゲン等を含む、種々の美肌効果を目的とするサプリメントも販売されており、また、これらのサプリメントと同じ効果を目的とする化粧料からなるキットも文献に開示されている（特開２００４−７５５５８号、特開２００４−１０７２３８号、特開２００４−１０７２４２号、特開２００４−１０７２４３号など）。このようなサプリメントを飲用する場合、通常美肌効果を期待する部位は顔面であることが多いが、一方で、サプリメントに含まれる各種栄養成分は飲用すると血流を通じて全身に行き渡り、顔面に内側から作用することはありえない。例えば、美白成分として知られているシステインが、仮に顔面の皮膚の内側から直接メラニンに働きかけ、美白作用を発揮するのであれば、頭皮の内側においても同時にメラニンに働きかけ、黒い毛髪は脱色されるはずであるが、実際にはそうではなく、システインの美白効果は内臓機能の改善などを介した効果であろうと考えられている。
一方、医薬品の分野においては、抗ガン剤などの副作用の多い薬剤の局所効果を得るために、当該薬剤の全身投与と併せて、血行改善剤を局所投与する形態が知られている（米国特許第５６２０４１６号）。しかし、これは、医師の処方や指示が必要な特殊な治療形態であり、一般の人々が簡便に利用可能な状況にないためか、あまり一般には普及してはおらず、また、医薬品以外を使用した適切な組み合わせは知られていない。
【発明の開示】
【０００３】
従って、一般人が医師の処方なく簡便に利用可能で、しかも、効果的に局所改善効果を達成することのできる、局所塗布剤の効果的な提供方法が求められている。
上記の背景に鑑み、本発明は、主として、改善が求められる局所における種々のサプリメント濃度を上昇させるのに効果的な局所塗布剤（化粧料及び医薬部外品）を、効果的に顧客に提供する方法を提供することを課題とする。
具体的には、顧客の求めに応じて、当該顧客が望む局所効果を効果的に達成するために、顧客に適するサプリメントと局所塗布剤を効果的に提供する方法、並びにそのためのシステム及びそれに用いるプログラム、さらには、顧客が望む局所効果を効果的に達成するのに適する局所塗布剤と組み合わせて用いるべきサプリメント及びサプリメントと組み合わせて用いるべき局所塗布剤、それらの併用物を提供する。
本発明の要旨は以下のとおりである。
〔１〕  顧客に適するサプリメントと局所塗布剤の情報を提供する方法であって、
顧客の希望する改善部位及び該改善部位に望む改善効果を入力手段に入力するステップと、
コンピュータが、改善部位に望む改善効果と栄養成分の組成との相関の情報を事前に登録したデータベースに格納された情報を参照し、該データベースに含まれる情報から、顧客の希望する改善部位に望む改善効果に適する栄養成分の組成の情報を抽出することによって、該改善部位に望む改善効果に適する栄養成分の組成を決定するステップと、
コンピュータが、体の部位と、該部位に栄養成分を行き渡らせるために適した局所塗布剤との相関の情報を事前に登録したデータベースに格納された情報を参照し、該データベースに含まれる情報から、顧客の希望する改善部位に適する局所塗布剤を抽出することによって、該決定された栄養成分を改善部位に行き渡らせるために適した局所塗布剤を決定するステップと、
コンピュータが、サプリメントとその栄養成分の組成が事前に登録されたデータベースを参照し、該データベースに含まれる情報から、該決定された栄養成分の組成に対応するサプリメントの情報を抽出することによって、該決定された栄養成分の組成を含むサプリメントを決定するステップと、
コンピュータにより決定されたサプリメントと局所塗布剤の情報を出力手段に出力するステップとを含む、方法。
〔２〕  決定されたサプリメントと局所塗布剤を併用する際の用法及び／又は併用により期待される効果を出力手段に出力するステップをさらに含む、上記〔１〕に記載の方法。
〔３〕  顧客の希望する改善部位が皮膚である、上記〔１〕又は〔２〕に記載の方法。
〔４〕  改善部位に望む改善効果が、皮膚のしわ改善及び／又は予防、皮膚のしみ改善及び／又は予防、頭皮の育毛促進並びに白髪予防からなる群から選ばれる少なくとも１種である、上記〔１〕〜〔３〕のいずれかに記載の方法。
〔５〕  決定された栄養成分の組成が、ビタミン、アミノ酸、ペプチド、タンパク質、ミネラル、食物繊維、脂肪酸、糖質、核酸、有機酸、菌類、動植物からの抽出物及び脂質からなる群から選ばれる少なくとも１種を含む、上記〔１〕〜〔４〕のいずれかに記載の方法。
〔６〕  決定された局所塗布剤が血行促進成分を含有する血行改善剤である、上記〔１〕〜〔５〕のいずれかに記載の方法。
〔７〕  血行促進成分が、カプシノイド類、ピロリドンカルボン酸及びその塩、ピロリドンカルボン酸エステル、アルギニン及びその塩、アルギニンオリゴマー、ニコチン酸、ナイアシン、カプサイシン、ビタミンＥ、センブリエキス、セファランチン、イソロイシン、塩化カルプロニウム、ミノキシジル、ショウキョウチンキ、カンタリスチンキ、ニコチン酸ベンジル、γ−オリザノール、ニンニクエキス、ニンジンエキス、当帰エキス、ゲンチアナエキス、ラズベリーケトン、アスタキサンチン、サポニン、ビタミンＢ１、フラボノイド、ルチン、硫化アリル、ナイアシンアミド、ニコチン酸トコフェロール、カンフル、アミノ酪酸、セファランチン、センキュウ、プラセンタエキス、オランダカラシエキス、カロットエキス、クララエキス、コムギ胚芽エキス、サフランエキス、ショウキョウエキス、センキュウエキス、ボタンエキス、アシタバエキス、ウイキョウエキス、カモミラエキス、ゴボウエキス、サンザシエキス、シイタケエキス、ショウブ根エキス、セイヨウサンザシエキス、セイヨウネズエキス、タイムエキス、チンピエキス、トウニンエキス、トウヒエキス、ノバラエキス、ブドウ葉エキス、マロニエエキス、メリッサエキス、ユズエキス、ヨクイニンエキス、ローズマリーエキス及びイチョウエキスからなる群から選ばれる少なくとも１種の有効成分を含有する、上記〔６〕に記載の方法。
〔８〕  決定されたサプリメントが、システイン、システイン誘導体、シスチン、シスチン誘導体、ビタミンＣ、ポリフェノール、タンニン酸、ビタミンＥ、ビタミンＥ誘導体、カテキン、ナイアシン、ハイドロキシチロソール、不飽和脂肪酸、ビタミンＰ、ビタミンＱ、グルタチオン、イソフラボン、グァバ、セレン及び酸化亜鉛からなる群から選ばれる少なくとも１種を含有するものであり、決定された局所塗布剤が血行促進成分を含有し、改善部位に望む改善効果が皮膚のしみ改善及び／又は予防である、上記〔１〕〜〔７〕のいずれかに記載の方法。
〔９〕  決定されたサプリメントが、ミネラル、ビタミン、アミノ酸、糖質、脂質、イノシトール、イオウ、核酸、コラーゲン、セサミノール及びクエン酸からなる群から選ばれる少なくとも１種を含有するものであり、局所塗布剤が血行促進成分を含有し、改善部位に望む改善効果が頭皮の育毛促進である、上記〔１〕〜〔７〕のいずれかに記載の方法。
〔１０〕  顧客が選択したサプリメントに適する局所塗布剤の情報を提供する方法であって、
サプリメントの情報を入力手段に入力するステップと、
コンピュータが、サプリメントと、サプリメントに含まれる栄養成分を改善部位に行き渡らせるために適した局所塗布剤との相関の情報を事前に登録したデータベースに格納された情報を参照し、該データベースに含まれる情報から、入力されたサプリメントに含まれる栄養成分を改善部位に行き渡らせるために適した局所塗布剤の情報を抽出することによって、該サプリメントに含まれる栄養成分を改善部位に行き渡らせるために適した局所塗布剤を決定するステップと、
コンピュータにより決定された局所塗布剤の情報を出力手段に出力するステップとを含む、方法。
〔１１〕  サプリメントと決定された局所塗布剤とを併用する際の用法及び／又は併用により期待される効果を出力手段に出力するステップをさらに含む、上記〔１０〕に記載の方法。
〔１２〕  決定された局所塗布剤が血行促進成分を含有する血行改善剤である、上記〔１０〕又は〔１１〕に記載の方法。
〔１３〕  血行促進成分が、カプシノイド類、ピロリドンカルボン酸及びその塩、ピロリドンカルボン酸エステル、アルギニン及びその塩、アルギニンオリゴマー、ニコチン酸、ナイアシン、カプサイシン、ビタミンＥ、センブリエキス、セファランチン、イソロイシン、塩化カルプロニウム、ミノキシジル、ショウキョウチンキ、カンタリスチンキ、ニコチン酸ベンジル、γ−オリザノール、ニンニクエキス、ニンジンエキス、当帰エキス、ゲンチアナエキス、ラズベリーケトン、アスタキサンチン、サポニン、ビタミンＢ１、フラボノイド、ルチン、硫化アリル、ナイアシンアミド、ニコチン酸トコフェロール、カンフル、アミノ酪酸、セファランチン、センキュウ、プラセンタエキス、オランダカラシエキス、カロットエキス、クララエキス、コムギ胚芽エキス、サフランエキス、ショウキョウエキス、センキュウエキス、ボタンエキス、アシタバエキス、ウイキョウエキス、カモミラエキス、ゴボウエキス、サンザシエキス、シイタケエキス、ショウブ根エキス、セイヨウサンザシエキス、セイヨウネズエキス、タイムエキス、チンピエキス、トウニンエキス、トウヒエキス、ノバラエキス、ブドウ葉エキス、マロニエエキス、メリッサエキス、ユズエキス、ヨクイニンエキス、ローズマリーエキス及びイチョウエキスからなる群から選ばれる少なくとも１種の有効成分を含む、上記〔１２〕に記載の方法。
〔１４〕  顧客が選択した局所塗布剤に適するサプリメントの情報を提供する方法であって、
局所塗布剤の情報を入力手段に入力するステップと、
局所塗布剤と、局所塗布剤を塗布部位に行き渡らせるために適したサプリメントとの相関の情報を事前に登録したデータベースに格納された情報を参照し、該データベースに含まれる情報から、入力された局所塗布剤を塗布部位に行き渡らせるために適したサプリメントの情報を抽出することによって、該局所塗布剤を塗布部位に行き渡らせるために適したサプリメントをコンピュータが選択するステップと、
コンピュータにより選択されたサプリメントの情報を出力手段に出力するステップとを含む、方法。
〔１５〕  サプリメントと局所塗布剤とを併用する際の用法及び／又は併用により期待される効果を出力手段に出力するステップをさらに含む、上記〔１４〕に記載の方法。
〔１６〕  局所塗布剤が血行促進成分を含有する血行改善剤である、上記〔１４〕又は〔１５〕に記載の方法。
〔１７〕  血行促進成分が、カプシノイド類、ピロリドンカルボン酸及びその塩、ピロリドンカルボン酸エステル、アルギニン及びその塩、アルギニンオリゴマー、ニコチン酸、ナイアシン、カプサイシン、ビタミンＥ、センブリエキス、セファランチン、イソロイシン、塩化カルプロニウム、ミノキシジル、ショウキョウチンキ、カンタリスチンキ、ニコチン酸ベンジル、γ−オリザノール、ニンニクエキス、ニンジンエキス、当帰エキス、ゲンチアナエキス、ラズベリーケトン、アスタキサンチン、サポニン、ビタミンＢ１、フラボノイド、ルチン、硫化アリル、ナイアシンアミド、ニコチン酸トコフェロール、カンフル、アミノ酪酸、セファランチン、センキュウ、プラセンタエキス、オランダカラシエキス、カロットエキス、クララエキス、コムギ胚芽エキス、サフランエキス、ショウキョウエキス、センキュウエキス、ボタンエキス、アシタバエキス、ウイキョウエキス、カモミラエキス、ゴボウエキス、サンザシエキス、シイタケエキス、ショウブ根エキス、セイヨウサンザシエキス、セイヨウネズエキス、タイムエキス、チンピエキス、トウニンエキス、トウヒエキス、ノバラエキス、ブドウ葉エキス、マロニエエキス、メリッサエキス、ユズエキス、ヨクイニンエキス、ローズマリーエキス及びイチョウエキスからなる群から選ばれる少なくとも１種の有効成分を含む、上記〔１６〕に記載の方法。
〔１８〕  カプシノイド類、ピロリドンカルボン酸及びその塩、ピロリドンカルボン酸エステル、アルギニン及びその塩、アルギニンオリゴマー、ニコチン酸、ナイアシン、カプサイシン、ビタミンＥ、センブリエキス、セファランチン、イソロイシン、塩化カルプロニウム、ミノキシジル、ショウキョウチンキ、カンタリスチンキ、ニコチン酸ベンジル、γ−オリザノール、ニンニクエキス、ニンジンエキス、当帰エキス、ゲンチアナエキス、ラズベリーケトン、アスタキサンチン、サポニン、ビタミンＢ１、フラボノイド、ルチン、硫化アリル、ナイアシンアミド、ニコチン酸トコフェロール、カンフル、アミノ酪酸、セファランチン、センキュウ、プラセンタエキス、オランダカラシエキス、カロットエキス、クララエキス、コムギ胚芽エキス、サフランエキス、ショウキョウエキス、センキュウエキス、ボタンエキス、アシタバエキス、ウイキョウエキス、カモミラエキス、ゴボウエキス、サンザシエキス、シイタケエキス、ショウブ根エキス、セイヨウサンザシエキス、セイヨウネズエキス、タイムエキス、チンピエキス、トウニンエキス、トウヒエキス、ノバラエキス、ブドウ葉エキス、マロニエエキス、メリッサエキス、ユズエキス、ヨクイニンエキス、ローズマリーエキス及びイチョウエキスからなる群から選ばれる少なくとも１種の血行促進成分を含有する局所塗布剤を経皮塗布するのと前後して、システイン、システイン誘導体、シスチン、シスチン誘導体、ビタミンＣ、ポリフェノール、タンニン酸、ビタミンＥ、ビタミンＥ誘導体、カテキン、ナイアシン、ハイドロキシチロソール、不飽和脂肪酸、ビタミンＰ、ビタミンＱ、グルタチオン、イソフラボン、グァバ、セレン及び酸化亜鉛からなる群から選ばれる少なくとも１種を含有するサプリメントを経口適用する、しみの予防・改善方法。
〔１９〕  カプシノイド類、ピロリドンカルボン酸及びその塩、ピロリドンカルボン酸エステル、アルギニン及びその塩、アルギニンオリゴマー、ニコチン酸、ナイアシン、カプサイシン、ビタミンＥ、センブリエキス、セファランチン、イソロイシン、塩化カルプロニウム、ミノキシジル、ショウキョウチンキ、カンタリスチンキ、ニコチン酸ベンジル、γ−オリザノール、ニンニクエキス、ニンジンエキス、当帰エキス、ゲンチアナエキス、ラズベリーケトン、アスタキサンチン、サポニン、ビタミンＢ１、フラボノイド、ルチン、硫化アリル、ナイアシンアミド、ニコチン酸トコフェロール、カンフル、アミノ酪酸、セファランチン、センキュウ、プラセンタエキス、オランダカラシエキス、カロットエキス、クララエキス、コムギ胚芽エキス、サフランエキス、ショウキョウエキス、センキュウエキス、ボタンエキス、アシタバエキス、ウイキョウエキス、カモミラエキス、ゴボウエキス、サンザシエキス、シイタケエキス、ショウブ根エキス、セイヨウサンザシエキス、セイヨウネズエキス、タイムエキス、チンピエキス、トウニンエキス、トウヒエキス、ノバラエキス、ブドウ葉エキス、マロニエエキス、メリッサエキス、ユズエキス、ヨクイニンエキス、ローズマリーエキス及びイチョウエキスからなる群から選ばれる少なくとも１種の血行促進成分を含有する局所塗布剤、ならびに、該局所塗布剤が塗布される被験者に経口投与されるために用いる、システイン、システイン誘導体、シスチン、シスチン誘導体、ビタミンＣ、ポリフェノール、タンニン酸、ビタミンＥ、ビタミンＥ誘導体、カテキン、ナイアシン、ハイドロキシチロソール、不飽和脂肪酸、ビタミンＰ、ビタミンＱ、グルタチオン、イソフラボン、グァバ、セレン及び酸化亜鉛からなる群から選ばれる少なくとも１種を含有するサプリメントからなる、しみの予防・改善用キット。
〔２０〕  しみの予防又は改善を希望する部位にカプシノイド類、カプシノイド誘導体、ピロリドンカルボン酸及びその塩、ピロリドンカルボン酸エステル、アルギニン及びその塩、アルギニンオリゴマー、ニコチン酸、ナイアシン、カプサイシン、ビタミンＥ、センブリエキス、セファランチン、イソロイシン、塩化カルプロニウム、ミノキシジル、ショウキョウチンキ、カンタリスチンキ、ニコチン酸ベンジル、γ−オリザノール、ニンニクエキス、ニンジンエキス、当帰エキス、ゲンチアナエキス、ラズベリーケトン、アスタキサンチン、サポニン、ビタミンＢ１、フラボノイド、ルチン、硫化アリル、ナイアシンアミド、ニコチン酸トコフェロール、カンフル、アミノ酪酸、セファランチン、センキュウ、プラセンタエキス、オランダカラシエキス、カロットエキス、クララエキス、コムギ胚芽エキス、サフランエキス、ショウキョウエキス、センキュウエキス、ボタンエキス、アシタバエキス、ウイキョウエキス、カモミラエキス、ゴボウエキス、サンザシエキス、シイタケエキス、ショウブ根エキス、セイヨウサンザシエキス、セイヨウネズエキス、タイムエキス、チンピエキス、トウニンエキス、トウヒエキス、ノバラエキス、ブドウ葉エキス、マロニエエキス、メリッサエキス、ユズエキス、ヨクイニンエキス、ローズマリーエキス及びイチョウエキスからなる群から選ばれる少なくとも１種の血行促進成分を含有する局所塗布剤が塗布された被験者のしみを予防又は改善するための、システイン、システイン誘導体、シスチン、シスチン誘導体、ビタミンＣ、ポリフェノール、タンニン酸、ビタミンＥ、ビタミンＥ誘導体、カテキン、ナイアシン、ハイドロキシチロソール、不飽和脂肪酸、ビタミンＰ、ビタミンＱ、グルタチオン、イソフラボン、グァバ、セレン及び酸化亜鉛からなる群から選ばれる少なくとも１種を含有するしみの予防・改善剤。
【図面の簡単な説明】
【０００４】
図１は、本発明の方法及びシステムで行われる各ステップを説明するためのフローチャートである。
図２は、本発明の方法及びシステムで行われる各ステップを説明するためのフローチャートである。
図３は、本発明の方法及びシステムで行われる各ステップを説明するためのフローチャートである。
図４は、本発明の方法を実施するためのシステムの一例である。
図５は、本発明の方法を実施するためのネットワークを介したシステムの一例である。
なお、図１〜５において、１は入力手段・出力手段を、２は中央演算装置（コンピュータ）を、３は管理サーバを、１０は改善部位に望まれる改善効果と栄養成分の組成との相関の情報を登録したデータベースを、１１は体の部位と該部位に適する局所塗布剤との相関の情報を登録したデータベースを、１２はサプリメントとその栄養成分の組成が登録されたデータベースを、２０はサプリメントと局所塗布剤との相関の情報を登録したデータベースを、３０は局所塗布剤とサプリメントとの相関の情報を登録したデータベースを、１００はネットワークを示す。
図６は、実施例１の結果を示す写真である。
図７は、実施例２でヘアレスマウスに行った処置を示すフローチャートである。
図８ａ〜ｃは、紫外線（ＵＶＢ）による色素沈着誘導に対する、酢酸トコフェロール経口投与とジヒドロカプシエイト経皮塗布の併用による抑制効果を示す写真である（実施例２）。
図９は、紫外線（ＵＶＢ）による色素沈着誘導に対する、シスチン経口投与とジヒドロカプシエイト経皮塗布の併用による抑制効果を示すグラフである（実施例３）。
発明の詳細な説明
本発明において、局所塗布剤とは、好ましくは医師の処方を必要としない化粧剤及び医薬部外品に分類される局所塗布剤を意味する。
顧客の希望する改善部位としては、顧客が改善を希望する身体の一部分であれば特に限定されず、皮膚、頭皮、鼻腔粘膜、口腔粘膜、眼球、支持組織、筋肉、神経、血管などの部位が例示される。なかでも、本発明は、顧客自身で処置することの可能な部位を改善部位とすることが好ましく、皮膚（頭皮を含む）が改善部位として特に好ましい。
「改善部位に望む改善効果」としては、顧客が改善を希望する部位に生じて欲しい効果であれば特に限定されず、既存の症状を改善する効果であってもよいし、所望でない症状を予防する効果であってもよい。そのような効果としては、例えば、皮膚のしわの予防・改善、皮膚のしみの予防・改善、頭皮の育毛促進、白髪の予防・改善、皮膚のたるみの予防・改善、皮膚のくすみの予防・改善、皮膚毛穴の拡大の予防・改善、皮膚バリヤー能低下の予防・改善、皮膚保湿効果低下の予防・改善、皮膚ターンオーバーの正常化、皮膚の炎症抑制、皮膚のくまの予防・改善、皮膚のかゆみ改善、皮膚のアクネの予防・改善、皮膚のスリミング促進などの効果が例示されるが、好ましくは、皮膚のしわ改善、皮膚のしみの予防・改善、頭皮の育毛促進、白髪予防である。なお、１種だけでなく、２種以上の改善効果を適宜同時に望んでもよい。
サプリメントの栄養成分の組成に含まれる成分としては、現在サプリメントとして販売されている物品に含まれている成分、将来医薬品からサプリメントへの応用が考えられる成分などが挙げられ、特に限定されないが、ビタミン、アミノ酸、ペプチド、タンパク質、ミネラル、食物繊維、脂肪酸、糖質、核酸、有機酸、菌類、動植物からの抽出物、脂質などが具体的に挙げられ、ビタミン、アミノ酸、有機酸、核酸、脂肪酸、糖質が好ましい。複数の成分を同時に含んでいてもよい。
ビタミンとしては、例えば、β−カロチン、ビタミンＤ、ビタミンＥ、ビタミンＥ誘導体、ビタミンＫ、コエンザイムＱ１０等の脂溶性ビタミン類、ビタミンＢ１、ビタミンＢ２、ビタミンＢ６、ビタミンＢ１２、ナイアシン、パントテン酸、葉酸、ビタミンＣ等の水溶性ビタミン類などが挙げられる。
アミノ酸としては、例えば、グリシン、アラニン、バリン、ロイシン、イソロイシン、セリン、スレオニン、システイン、チロシン、メチオニン、アスパラギン、アスパラギン酸、グルタミン酸、グルタミン、アルギニン、リジン、ヒスチジン、フェニルアラニン、トリプトファン、プロリン、ホモセリン、オルニチン、シトルリン、カルニチン、β−アラニンなどが挙げられる。
ペプチドとしては、例えば、各種ジペプチド（Ａｌａ−Ｇｌｎ、γ−Ｇｌｕ−Ｃｙｓ、γ−Ｇｌｕ−Ｌｙｓ、Ｌｅｕ−Ｐｈｅ、Ｎ−Ａｌａｎｙｌ−３−ｍｅｔｈｙｌ−Ｌ−Ｈｉｓ、β−Ａｌａ−Ｈｉｓ（Ｃａｒｎｏｓｉｎｅ）、β−Ａｌａ−１−ＭｅＨｉｓ（Ａｎｓｅｒｉｎｅ）、Ａｒｇ−Ｇｌｙ、Ａｒｇ−Ａｌａ、Ａｒｇ−Ｌｅｕ、Ａｒｇ−Ａｓｐ、Ａｒｇ−Ｇｌｕ、Ａｒｇ−Ｌｙｓ、Ｃｙｓ−Ｇｌｙ、Ｃｙｓ−Ａｒｇ、Ｃｙｓ−Ｃｙｓ、Ｃｙｓ−Ｈｉｓ、Ｃｙｓ−Ｐｒｏ、Ａｌａ−Ｃｙｓ、α−Ｇｌｕ−Ｃｙｓ、Ｌｙｓ−Ｃｙｓ、Ａｒｇ−Ｃｙｓ、Ｇｌｙ−Ｔｙｒ、Ａｌａ−Ｔｙｒ、Ａｒｇ−Ｔｙｒ、Ｃｙｓ−Ｔｙｒ、Ｇｌｙ−Ｌｅｕ、Ｌｅｕ−Ｌｅｕ、Ｈｉｓ−Ｌｅｕ、Ｌｅｕ−Ｇｌｙ、Ｌｅｕ−Ａｌａ、Ｌｅｕ−Ａｒｇ、Ｌｅｕ−Ｈｉｓ、Ｌｅｕ−Ｓｅｒ）、オリゴペプチド（γ−Ｇｌｕ−Ｃｙｓ−Ｇｌｙ（Ｇｌｕｔａｔｈｉｏｎｅ）、Ｇｌｕ−Ｇｌｕ−Ｍｅｔ−Ｇｌｎ−Ａｒｇ−Ａｒｇ（配列番号１）、Ａｌａ−Ｇｌｕ−Ａｓｐ−Ｇｌｙ（Ｅｐｉｔａｌｏｎ；配列番号２）、Ｇｌｙ−Ｌ−Ｈｉｓ−Ｌ−Ｌｙｓｉｎｅ：ｃｏｐｐｅｒ、Ｍｅｔ−Ｉｌｅ−Ｔｈｒ−Ｌｅｕ（配列番号３））、これらペプチドの各種アミド体やエステル体、大豆ペプチド、乳タンパク分解物（β−カゼイン、α−ラクトアルブミン、β−ラクトグロブリン、カゼイン、ラクトフェリン、ホエータンパク）などが挙げられる。
タンパク質としては、各種アミノ酸から構成されるタンパク質であれば特に制限なく用いられうるが、例えば、各種乳タンパク質、コラーゲン、エラスチン等の動物性タンパク質、シルクプロテイン、大豆プロテイン等の植物性タンパク質などが挙げられる。
ミネラルとしては、例えば、カルシウム、リン、ヨウ素、セレン、マグネシウム、亜鉛、鉄、カリウムなどが挙げられる。
食物繊維としては、例えば、セルロース、リグニン、ヘミセルロース等の植物細胞壁成分、アミラーゼで消化されない可溶性糖類、動物性食品由来の不消化物などが挙げられる。
脂肪酸としては、例えば、各種飽和脂肪酸、リノール酸、γ−リノレン酸、ＤＨＡ（ドコサヘキサエン酸）、ＥＰＡ（エイコサペンタエン酸）等の不飽和脂肪酸などが挙げられる。
糖質としては、例えば、グルコース、フルクトース等の単糖類、フラクトオリゴ糖（原料：ショ糖）、大豆オリゴ糖（原料：大豆）、乳果オリゴ糖（原料：ショ糖と砂糖）、ラフィノース（原料：ビート糖蜜）、ガラクトオリゴ糖（原料：乳糖）、キシロオリゴ糖（原料：トウモロコシ）等のオリゴ糖類などが挙げられる。
核酸としては、各種鎖長のＤＮＡ、ＲＮＡなどが挙げられる。
有機酸としては、例えば、クエン酸、リンゴ酸などが挙げられる。
菌類としては、例えば、乳酸菌、ビフィズス菌等の、乳糖やブドウ糖等を栄養分に増殖し、乳酸等を産生する細菌類などが挙げられる。
動植物からの抽出物としては、例えば、ポリフェノール、アントシアニン、イソフラボン、カテキン、クルクミン、フラボノイド、セサミノール、大豆サポニン、エラグ酸、ギンコライド、アリシン、グルタチオン、シスタチン、クロロフィル、カロテノイド、α−カロテン、ルテイン、リコピン、フコキサンチン、タンニン酸、テアフラビン、クロレラなどが挙げられる。
脂質としては、例えば、前記脂肪酸の他、アシルグリセロール（モノアシルグリセロール、ジアシルグリセロール、トリアシルグリセロール）、スクワレン、ワックス、コレステロール及びその脂肪酸エステル、グリセロリン脂質（レシチンなど）、スフィンゴリン脂質（スフィンゴミエリンなど）、各種脂肪酸エステル、植物ステロールなどが挙げられる。
ここで、サプリメントとは、医師の処方を必要とする医薬品以外の医薬部外品、食品、栄養補助食品、健康食品、機能性健康食品等を指し、例えば、上述のような、ビタミン、アミノ酸、有機酸等をその成分として含むものが挙げられる。サプリメントは飲用可能な形態である限り、食物に混和されていてもよく、また、粉末、錠剤、カプセル剤、ドリンク剤等のいずれの形態であってもよく、更に、製剤において通常用いられる賦形剤を適宜含んでいてもよい。
以下に、顧客が改善部位に望む改善効果に応じた目的別のサプリメントに含まれ得る成分を挙げるが、本発明を適用することのできるサプリメントはこれらに限定されない。
（１）美白系サプリメント
美白（しみの予防・改善も含む）に効果のあるサプリメント（以下、「美白サプリメント」ともいう）が含有していてもよい成分としては、システイン、システインスルフィン酸、グルタチオン（Ｌ−Ｇｌｕ−Ｌ−Ｃｙｓ−Ｇｌｙ）、γ−Ｇｌｕ−Ｃｙｓ、Ｎ−アセチルシステイン等のアシル化又はエステル化したシステイン、ホモシステイン、シスタチオニン、システイン前駆体（セリン、メチオニンなど）などを含むシステイン誘導体、シスチン、アシル化又はエステル化したシスチン（Ｎ，Ｎ−ジアセチル−Ｌ−シスチンジメチルエステルＮ，Ｎ−ジアセチル−Ｌ−シスチンジエチルエステル、Ｎ，Ｎ−ジアセチル−Ｌ−シスチンジプロピルエステル、Ｎ，Ｎ−ジアセチル−Ｌ−シスチンジブチルエステル、Ｎ，Ｎ−ジアセチル−Ｌ−シスチンジヘキシルエステル、Ｎ，Ｎ−ジアセチル−Ｌ−シスチンジオクチルエステルなど）などを含むシスチン誘導体、ビタミンＣ、ポリフェノール、タンニン酸、ビタミンＥ、酢酸トコフェロール等の酢酸誘導体等を含むビタミンＥ誘導体、カテキン、ナイアシン、ハイドロキシチロソール、不飽和脂肪酸（パルミトオレイン酸、オレイン酸、エライジン酸、バクセン酸、エルカ酸、α−リノレン酸、アラキドン酸、ＤＨＡ（ドコサヘキサエン酸）、ＥＰＡ（エイコサペンタエン酸）、ドコサペンタエン酸、リノール酸、γ−リノレン酸など）、ビタミンＰ（フラボン類、ルチン、ヘスペリジン、シトリン）、ビタミンＱ（ユビキノン）、グルタチオン、イソフラボン、グァバ、セレン、酸化亜鉛などが例示される。このうち、特に、システイン、ビタミンＣ、シスチン、グルタチオン（Ｌ−Ｇｌｕ−Ｌ−Ｃｙｓ−Ｇｌｙ）、γ−Ｇｌｕ−Ｃｙｓ、ビタミンＰ（ローズヒップなど）が好ましい。これらの成分の含有量は、選択する成分の１日摂取許容量を目安として、適宜決定することができる。
（２）保湿系サプリメント
保湿に効果のあるサプリメント（以下、「保湿サプリメント」ともいう）としては、ビタミンＢ２、ビタミンＢ６、ビタミンＥ、ビタミンＡ、ビタミンＣ、コンドロイチン硫酸、スクワレン（深海ザメエキス、オリーブ油、綿実油、アボカド油など）、コラーゲン、亜鉛、カモマイル、コエンザイムＱ１０、小麦胚芽、ハトムギ、ヒアルロン酸、イソフラボンなどが例示される。これらの成分の含有量は、選択する成分の１日摂取許容量を目安として、適宜決定することができる。
（３）育毛系サプリメント
育毛に効果のあるサプリメント（以下、「育毛サプリメント」ともいう）としては、ヒスチジン、グルタミン等のアミノ酸、海草抽出エキス（アルギン酸、寒天、カラギーナン、フコイダンなど）、亜鉛、硫黄、ヨウ素、鉄、カルシウム、銅、リン、亜鉛等を含む各種ミネラル、ビタミンＡ、ビタミンＢ２、ビタミンＢ６、パントテン酸（ビタミンＢ５）、ビタミンＣ、ビタミンＥ、ビタミンＦ（不飽和脂肪酸）、ビタミンＢ１５（パンガミン酸）、ビタミンＱ（ユビキノン）、ビオチン（ビタミンＨ）、葉酸、ナイアシン（ニコチン酸）、コエンザイムＱ１０等のビタミン類、ヒスチジン、グルタミン等のアミノ酸、糖質、脂質、イノシトール、イオウ、核酸（アデノシン及びそのリン酸エステルなど）、コラーゲン、セサミノール、クエン酸などが例示される。このうち、特に、ヒスチジン、グルタミン、アデノシン及びそのリン酸エステルが好ましい。これらの成分の含有量は、選択する成分の１日摂取許容量を目安として、適宜決定することができる。
（４）抗老化系サプリメント
老化防止（特に、皮膚の老化防止）に効果的なサプリメントとしては、プロリン、アラニン、グルタミン、シスチン、テアニン等のアミノ酸、カロテノイド（β−カロテン、ルテイン、リコピン）、ビタミンＢ１（サイアミン）、ビタミンＢ２（リボフラビン）、ナイアシン（ニコチン酸）、ビタミンＡ、ビタミンＥ、ビタミンＢ１５（パンガミン酸）、パラアミノ安息香酸、リポ酸、ビタミンＣ、ビタミンＱ（ユビキノン）、リン、イオウ、ビタミンＰ（フラボン類、ルチン、ヘスペリジン、シトリン）、ビタミンＱ（ユビキノン）、銅、マンガン、セレン、ケイ素、コラーゲン、ポリフェノール（アントシアニン、カテキン、カカオマスポリフェノール、ケルセチン、イソフラボン、ケルセチン、クロロゲン酸）、セサミノール（ゴマ）、大豆サポニン、エラグ酸、グルタチオン、クロロフィル、クルクミン、大麦若葉エキス（ＳＯＤ；スーパーオキシド・ディスムターゼ）、核酸（ＤＮＡ、ＲＮＡなど）、グァバ、小麦胚芽、ビール酵母（グルタチオンなど）、プルーン、ローズヒップ（ビタミンＰなど）等の抗老化成分、コラーゲン、大豆ペプチドなどが例示される。このうち、特に、ビタミン類、アミノ酸類が好ましい。これらの成分の含有量は、選択する成分の１日摂取許容量を目安として、適宜決定することができる。
（５）抗白髪系サプリメント
抗白髪の効果のあるサプリメント（以下、「抗白髪サプリメント」ともいう）としては、ビオチン、チロシン、パラアミノ安息香酸、銅、コラーゲン、セサミノールなどが例示される。このうち、特に、チロシン、パラアミノ安息香酸が好ましい。これらの成分の含有量は、選択する成分の１日摂取許容量を目安として、適宜決定することができる。
局所塗布剤としては、上述したサプリメントの成分を局所塗布部位に行き渡らせることのできるもの、好ましくは、当該局所濃度を非投与時に比して高濃度で維持することができるものであれば、特に制限なく使用することが可能である。局所塗布剤は、血行促進成分を含有する血行改善剤であることが好ましい。血行促進成分としては、所望の部位に塗布することによって、塗布部分の血流量を増大させるものであれば特に限定されず、カプシノイド類及びそれらの各種誘導体、ピロリドンカルボン酸（ＰＣＡ）及びその塩（亜鉛塩、脂肪酸塩、ナトリウム塩、カリウム塩、銀塩、銅塩、アルギニン塩など）、ピロリドンカルボン酸エステル（メチルエステル、エチルエステル、プロピルエステル、ブチルエステル、ペンチルエステル、ヘキシルエステル、ヘプチルエステル、オクチルエステル、ノニルエステル、デシルエステル、ウンデシルエステル、ドデシルエステル、トリデシルエステル、テトラデシルエステル、ペンタデシルエステル、ヘキサデシルエステル、ヘプタデシルエステル、オクタデシルエステル、ノナデシルエステル、エイコシルエステル、イソプロピルエステル、イソブチルエステル、ｓ−ブチルエステル、ｔ−ブチルエステル、イソペンチルエステル、ｔ−ペンチルエステル、ネオペンチルエステル、イソヘキシルエステル、シクロヘキシルエステル、ベンジルエステルなど）、アルギニン及びその塩（塩酸塩、酢酸塩、硫酸塩、脂肪酸塩など）、アルギニンオリゴマー（８〜１２量体）、ニコチン酸、ナイアシン、カプサイシン、ビタミンＥ（α−トコフェロールなど）、センブリエキス（スェルチノーゲン）、セファランチン、イソロイシン、塩化カルプロニウム、ミノキシジル、ショウキョウチンキ、カンタリスチンキ、ニコチン酸ベンジル、γ−オリザノール、ニンニクエキス、ニンジンエキス、当帰エキス、ゲンチアナエキス、ラズベリーケトン、アスタキサンチン、サポニン、ビタミンＢ１、フラボノイド、ルチン、硫化アリル、ナイアシンアミド、ニコチン酸トコフェロール、カンフル、アミノ酪酸、セファランチン、センキュウ、プラセンタエキス、オランダカラシエキス、カロットエキス、クララエキス、コムギ胚芽エキス、サフランエキス、ショウキョウエキス、センキュウエキス、ボタンエキス、アシタバエキス、ウイキョウエキス、カモミラエキス、ゴボウエキス、サンザシエキス、シイタケエキス、ショウブ根エキス、セイヨウサンザシエキス、セイヨウネズエキス、タイムエキス、チンピエキス、トウニンエキス、トウヒエキス、ノバラエキス、ブドウ葉エキス、マロニエエキス、メリッサエキス、ユズエキス、ヨクイニンエキス、ローズマリーエキス、イチョウエキスなど種々の成分を用いることが可能であり、局所塗布剤を適用する部位や目的に応じて適宜選択され、１種又は２種以上の血行促進成分が局所塗布剤に含まれていてもよい。ここで、カプシノイド類とは、バニリルアルコールの脂肪酸エステルをいい、その代表的な物質としては、トウガラシ類に含有される成分として確認された、カプシエイト、ジヒドロカプシエイト、ノルジヒドロカプシエイトが挙げられ、本発明においては、バニリルデカノエイト、バニリルノナノエイト、バニリルオクタノエイト��の、カプシエイトやノルジヒドロカプシエイトと同程度の脂肪酸鎖長を有する、各種直鎖又は分岐鎖脂肪酸とバニリルアルコールとの脂肪酸エステルも包含される。カプシエイト、ジヒドロカプシエイト及びノルジヒドロカプシエイトはそれぞれ以下の化学式で表すことができる。カプシノイド類は、その構造上の特性から、カプサイシンに見られるような刺激性が極めて低い。また、効果も一時的（皮膚塗布後、約１５分〜５時間）であるため、所定の時間帯にのみ特異的な局所効果を発揮させる目的で好ましい。
2007013690.tif 000002
また、これらの局所塗布剤は、併用により期待される効果に応じ、適宜その他の成分を含有させることができる。これらの成分の含有量は、成分の種類によっても異なるが、求める局所効果を発揮できる程度に含有されていればよく、例えば、０．０１〜１０重量％程度が局所塗布剤に含有されうる。
局所塗布剤としては、例えば、以下の例が挙げられるが、本発明を適用することのできる局所塗布剤はこれらに限定されるものではない。
（１）皮膚用局所塗布剤
局所塗布剤を顔面、首筋、手などの通常の化粧品を塗布する皮膚用に用いる場合（以下、「皮膚用局所塗布剤」ともいう）、前述したサプリメントの成分を局所塗布部位に行き渡らせることのできる限りにおいて、通常の化粧料に配合される成分を更に含有していてもよい。また、局所塗布剤が血行促進成分を含有するものである場合、血行促進成分が効能を発揮しうる使用態様であればよい。さらに、局所塗布剤が美白効果を主眼とするものである場合（以下、「美白用局所塗布剤」ともいう）、通常の美白用化粧料に含有される美白成分を、血行促進剤と同時に含有していてもよい。
通常の化粧料に配合される成分の例としては、油脂（オリーブ油、椿油、マカデミアナッツ油、ヒマシ油など）、ロウ類（カルナウバロウ、キャンデリラロウ、ホホバ油、ミツロウ、ラノリンなど）、炭化水素（流動パラフィン、パラフィン、ワセリン、セレシン、マイクロクリスタリンワックス、スクワランなど）、高級脂肪酸（ラウリン酸、ミリスチン酸、パルミチン酸、ステアリン酸、イソステアリン酸など）、高級アルコール（セチルアルコール、ステアリルアルコール、イソステアリルアルコール、２−オクチルドデカノールなど）、エステル類（ミリスチン酸イソプロピル、ミリスチン酸２−オクチルドデシル、２−エチルヘキサン酸セチル、リンゴ酸ジイソステアリルなど）、シリコーン油（メチルポリシロキサン、メチルフェニルポリシロキサンなど）、アニオン界面活性剤（高級脂肪酸石けん、アルキル硫酸エステル塩、ポリオキシエチレンアルキルエーテル硫酸塩、アシルＮ−メチルタウリン塩、アルキルエーテルリン酸エステル塩、Ｎ−アシルアミノ酸塩（Ｎ−アシルグルタミン酸塩、Ｎ−アシル−Ｎ−メチル−β−アラニン塩、Ｎ−アシルサルコシネート塩など）など）、カチオン界面活性剤（塩化アルキルトリメチルアンモニウム、塩化ジアルキルジメチルアンモニウム、塩化ベンザルコニウムなど）、両性界面活性剤（アルキルジメチルアミノ酢酸ベタイン、アルキルアミドジメチルアミノ酢酸ベタイン、２−アルキル−Ｎ−カルボキシ−Ｎ−ヒドロキシイミダゾリウムベタインなど）、非イオン界面活性剤（脂肪酸モノグリセリドエステル型（脂肪酸はラウリン酸、ミリスチン酸、パルミチン酸、オレイン酸、リノール酸、リシノール酸、イソパルミチン酸、イソステアリン酸など）、プロピレングリコール脂肪酸エステル型（脂肪酸はラウリン酸、ミリスチン酸、パルミチン酸、オレイン酸、リノール酸、リシノール酸、イソパルミチン酸、イソステアリン酸など）、ショ糖脂肪酸エステル型（脂肪酸はラウリン酸、ミリスチン酸、パルミチン酸、オレイン酸、リノール酸、リシノール酸、イソパルミチン酸、イソステアリン酸など）、高級アルコール酸化エチレン縮合型（アルコールはラウリルアルコール、セチルアルコール、ステアリルアルコール、オレイルアルコール、ラノリンアルコール、イソステアリルアルコールなど）、ポリエチレングリコール脂肪酸エステル型（脂肪酸はラウリン酸、ミリスチン酸、パルミチン酸、オレイン酸、リノール酸、リシノール酸、イソパルミチン酸、イソステアリン酸など）、ポリエチレングリコールソルビタン脂肪酸エステル型（脂肪酸はラウリン酸、ミリスチン酸、パルミチン酸、オレイン酸、リノール酸、リシノール酸、イソパルミチン酸、イソステアリン酸など）、脂肪酸アルキロールアミド型（脂肪酸はラウリン酸、ミリスチン酸、パルミチン酸、オレイン酸、リノール酸、リシノール酸、イソパルミチン酸、イソステアリン酸など、アルキロールアミンはモノエタノール、ジエタノールアミン、イソプロパノールアミンなど）など）、エチレンオキシド・プロピレンオキシドブロック共重合体、保湿剤（グリセリン、プロピレングリコール、１，３−ブチレングリコール、ポリエチレングリコール、ソルビトール、乳酸ナトリウム、２−ピロ���ドン−５−カルボン酸ナトリウム、ヒアルロン酸ナトリウムなど）、天然高分子化合物（アラビアゴム、トラガントガム、グアーガム、ローカストガム、カラヤガム、アイリスモス、クインスシード、ゼラチン、セラック、ロジン、カゼインなど）、半合成高分子化合物（カルボキシメチルセルロースナトリウム、ヒドロキシエチルセルロース、メチルセルロース、エチルセルロース、アルギン酸ナトリウム、エステルガム、ニトロセルロース、ヒドロキシプロピルセルロース、結晶セルロースなど）、合成高分子化合物（ポリビニルアルコール、ポリビニルピロリドン、ポリアクリル酸ナトリウム、カルボキシビニルポリマー、ポリビニルメチルエーテル、ポリアミド樹脂、シリコーン油など）、紫外線吸収剤（２−ヒドロキシ−４−メトキシベンゾフェノン、２−ヒドロキシ−４−メトキシベンゾフェノン−５−スルホン酸、２−ヒドロキシ−４−メトキシベンゾフェノン−５−スルホン酸ナトリウム、ジヒドロキシジメトキシベンゾフェノン、ジヒドロキシジメトキシベンゾフェノン−スルホン酸ナトリウム、２，４−ジヒドロキシベンゾフェノン、テトラヒドロキシベンゾフェノン、パラアミノ安息香酸、パラアミノ安息香酸エチル、パラアミノ安息香酸グリセリル、パラジメチルアミノ安息香酸アミル、パラジメチルアミノ安息香酸オクチル、パラメトキシ桂皮酸エチル、パラメトキシ桂皮酸イソプロピル、パラメトキシ桂皮酸オクチル、パラメトキシ桂皮酸２−エトキシエチル、パラメトキシ桂皮酸ナトリウム、パラメトキシ桂皮酸カリウム、パラメトキシ桂皮酸モノ−２−エチルヘキサン酸グリセリル、サリチル酸オクチル、サリチル酸フェニル、サリチル酸ホモメンチル、サリチル酸ジプロピレングリコール、サリチル酸エチレングリコール、サリチル酸ミリスチル、サリチル酸メチル、ウロカニン酸、ウロカニン酸エチル、４−ｔｅｒｔ−ブチル−４’−メトキシベンゾイルメタン（パルソールＡ）、２−（２’−ヒドロキシ−５’−メチルフェニル）ベンゾトリアゾール、アントラニル酸メチルなど）、酸化防止剤（タンニン酸、トコフェロール、ＢＨＴ（ジブチルヒドロキシトルエン）、ＢＨＡ（ブチルヒドロキシアニソール）、没食子酸エステル、ＮＤＧＡ（ノルジヒドログアヤレチック酸）など）、酸化防止助剤（リン酸、クエン酸、アスコルビン酸、マレイン酸、マロン酸、コハク酸、フマール酸、ケファリン、ヘキサメタフォスフェート、フィチン酸、ＥＤＴＡ（エチレンジアミン四酢酸）など）、金属封鎖剤（ＥＤＴＡ（エチレンジアミン四酢酸）ナトリウム塩、リン酸、クエン酸、アスコルビン酸、コハク酸、グルコン酸、ポリリン酸ナトリウム、メタリン酸ナトリウムなど）、アゾ系染料（黄色５号、赤色５０５号など）、キサンテン系染料（赤色２３０号、赤色２２３号、赤色２１３号など）、キノリン系染料（黄色２０４号、黄色２０３号など）、トリフェニルメタン系染料（青色１号など）、アンスラキノン系染料（緑色２０１号、緑色２０２号など）、インジゴ系染料（青色２号など）、ニトロ系染料（黄色４０３号など）、ピレン系染料（緑色２０４号など）、ニトロソ系染料（緑色４０１号など）、レーキ（赤色２０１号、赤色２０４号、赤色２０６号、赤色２０７号、赤色２０���号、赤色２２０号、黄色５号、赤色２３０号など）、有機顔料（アゾ系顔料（赤色２２８号など）、インジゴ系顔料（赤色２２６号など）、フタロシアニン系顔料（青色４０４号など）など）、天然色素（β−カロチン、カルサミン、コチニールなど）、体質顔料（マイカ、タルク、カオリンなど）、着色顔料（ベンガラ、黄酸化鉄、黒酸化鉄、群青など）、白色顔料（二酸化チタン、酸化亜鉛など）、真珠光沢顔料（二酸化チタン被覆雲母など）、高分子粉体（ポリエチレン末、ポリメタクリル酸メチル、ポリエチレンテレフタレート・ポリメチルメタクリレート積層末、ナイロンパウダーなど）、機能性顔料（窒化ホウ素、合成フッ素雲母（合成マイカ）、ホトクロミック顔料など）、複合化微粒子粉体（ハイブリッド・ファインパウダーなど）、香料（リモネン、β−カリオフィレン、シス−３−ヘキセノール、リナロール、ファルネソール、β−フェニルエチルアルコール、シトラール、α−ヘキシルシンナミックアルデヒド、β−イオノン、１−カルボン、シクロペンタデカノン、リナリルアセテート、ベンジルベンゾエート、γ−ウンデカラクトン、オイゲノール、ローズオキサイド、インドール、フェニルアセトアルデヒドジメチルアセタール、オーランチオール、２，６−ノナジエナール、ゲラニオール、シトロネロール、ターピネオール、メントール、サンタロール、バクダノール、ブラマノール、リラール、リリアール、ダマスコン、メチルイオノン、イロン、イソイースーパー、アセチルセドレン、ムスコン、ベンジルアセテート、メチルジヒドロジャスモネート、メチルジャスモネート、ジャスミンラクトン、シクロペンタデカノリッド、エチレンブラシレート、ガラクソリッド、アンブロキサンなど）、抗炎症剤（β−グリチルレチン酸、グリチルリチン酸誘導体、アラントイン、アズレン、ε−アミノカプロン酸、ヒドロコルチゾン、酢酸ヒドロコルチゾン、プレドニゾロンなど）、収れん剤（酸化亜鉛、硫酸亜鉛、アラントインヒドロキシアルミニウム、塩化アルミニウム、硫酸アルミニウム、スルホ石炭酸亜鉛、タンニン酸、クエン酸、乳酸など）、清涼化剤（メントール、カンフルなど）、ホルモン（卵胞ホルモン、副腎皮質ホルモンなど）、抗ヒスタミン剤（塩酸ジフェンヒドラミン、マレイン酸クロルフェニラミン、グリチルリチン酸誘導体など）、皮脂抑制剤（エストラジオール、エストロン、エチニルエストラジオールなど）、角質剥離・溶解剤（イオウ、サリチル酸、レゾルシンなど）、殺菌剤（塩化ベンザルコニウム、塩化ベンゼトニウム、ハロカルバン、２，４，４−トリクロロ−２−ヒドロキシフェノール、トリクロロカルバニド、酢酸トコフェロール、ジンクピリチオン、クロルヘキシジン、ヒノキチオール、フェノール、イソプロピルメチルフェノールなど）、鎮痒剤（塩酸ジフェンヒドラミン、マレイン酸クロルフェニラミン、カンファーなど）などが挙げられる。
美白成分としては、α−アルブチン、ハイドロキノン、イソフラボン、コウジ酸、ビタミンＣ（アスコルビン酸ナトリウム、アスコルビン酸リン酸エステルマグネシウム、ステアリン酸アスコルビル、パルミチン酸アスコルビル、ジパルミチン酸アスコルビル、アスコルビン酸硫酸エステル二ナトリウム、アスコルビン酸グルコシドなど）、グルタチオン、パンテテインスルホン酸カルシウム、プラセンタエキス、エラグ酸、ルシノール、クワエキス、芍薬エキス、ワレモコウエキス、マロニエ樹皮エキス、イブキトラノオエキス、クララエキス、スイカズラエキス、オウゴンエキス、イタドリエキス、カミツレエキス、トラネキサム酸、リノール酸、リノレン酸、硫黄、小麦胚芽エキス、乳酸、グリコール酸、甘草エキスなどが例示される。このうち、特に、α−アルブチン、コウジ酸、ビタミンＣ（アスコルビン酸類）、エラグ酸、ルシノールが好ましい。
（２）頭皮用局所塗布剤
局所塗布剤が、頭皮に塗布するものである場合（以下、「頭皮用局所塗布剤」ともいう）、ヘアトニックや養毛剤、育毛剤等に通常含有される養毛促進成分や育毛促進成分を血行促進成分と同時に含有してもよい。
養毛促進成分又は育毛促進成分としては、核酸（アデノシン及びそのリン酸エステルなど）、ビタミン類（ビタミンＡ、ビタミンＢ１、ビタミンＢ２、ビタミンＢ６、ジアルキルモノアミン誘導体、ビオチン、パントテン酸カルシウム、パントテニルアルコールなど）、アミノ酸類（グルタミン、メチオニン、シスチン、システイン、セリン、ロイシン、トリプトファンなど）、モノニトログアヤコール、ペンタデカン酸グリセリド、ヒノキチオール、コレウスエキス、クロロフィル、アラントイン、エストラジオール、エチニルエストラジオール、オトギリソウ、オウゴン、トウキンセンカ、ニンニクエキス、ニンジンエキス、スピロノラクトン、プロゲステロン、サイプロテロンアセテート、４−アンドロステン−３，１７−ジオン、オイゲニルグルコシド、チョウジエキス、クアチャララータエキス、デュークエキス、ホップエキス、ミノキシジル、ｔ−フラバノンなどが挙げられる。このうち、特に、核酸、アミノ酸類、ペンタデカン酸グリセリド、ミノキシジルが好ましい。
本発明において、好ましいサプリメントと局所塗布剤との組み合わせ、またその併用により期待される効果は以下のとおりである。
（１）しみ予防・改善に好ましい組み合わせ
システイン、シスチン、グルタチオン、酢酸トコフェロールから選ばれる少なくとも１種と、血行改善剤（例えば、カプシノイド類、ピロリドンカルボン酸及びその塩、ピロリドンカルボン酸エステル、アルギニン及びその塩、アルギニンオリゴマー（８〜１２量体）、ビタミンＰ等の血行促進成分を含有）との組み合わせ、
ビタミンＣ（アスコルビン酸ナトリウム、アスコルビン酸リン酸エステルマグネシウム、ステアリン酸アスコルビル、パルミチン酸アスコルビル、ジパルミチン酸アスコルビル、アスコルビン酸硫酸エステル二ナトリウム、アスコルビン酸グルコシド）から選ばれる少なくとも１種と、血行改善剤（例えば、カプシノイド類、ピロリドンカルボン酸及びその塩、ピロリドンカルボン酸エステル、アルギニン及びその塩、アルギニンオリゴマー（８〜１２量体）、ビタミンＰ等の血行促進成分を含有）との組み合わせ、
アルブチン、コウジ酸、エラグ酸、ルシノールから選ばれる少なくとも１種と、血行改善剤（例えば、カプシノイド類、ピロリドンカルボン酸及びその塩、ピロリドンカルボン酸エステル、アルギニン及びその塩、アルギニンオリゴマー（８〜１２量体）、ビタミンＰ等の血行促進成分を含有）との組み合わせ、
クワエキス、芍薬エキス、ワレモコウエキス、マロニエ樹皮エキス、イブキトラノオエキス、クララエキス、スイカズラエキス、オウゴンエキス、イタドリエキス、カミツレエキス、小麦胚芽エキス、甘草エキスから選ばれる少なくとも１種と、血行改善剤（例えば、カプシノイド類、ピロリドンカルボン酸及びその塩、ピロリドンカルボン酸エステル、アルギニン及びその塩、アルギニンオリゴマー（８〜１２量体）、ビタミンＰ等の血行促進成分を含有）との組み合わせ、
等が挙げられるが、これらに限定されるものではない。
（２）保湿力改善に好ましい組み合わせ
ビタミンＢ２、ビタミンＢ６、ビタミンＥ、ビタミンＡ、ビタミンＣ、コエンザイムＱ１０から選ばれる少なくとも１種と、血行改善剤（例えば、カプシノイド類、ピロリドンカルボン酸及びその塩、ピロリドンカルボン酸エステル、アルギニン及びその塩、アルギニンオリゴマー（８〜１２量体）、ビタミンＰ等の血行促進成分を含有）との組み合わせ、
コラーゲン、ヒアルロン酸、コンドロイチン硫酸から選ばれる少なくとも１種と、血行改善剤（例えば、カプシノイド類、ピロリドンカルボン酸及びその塩、ピロリドンカルボン酸エステル、アルギニン及びその塩、アルギニンオリゴマー（８〜１２量体）、ビタミンＰ等の血行促進成分を含有）との組み合わせ、
ミネラル類（亜鉛）から選ばれる少なくとも１種と、血行改善剤（例えば、カプシノイド類、ピロリドンカルボン酸及びその塩、ピロリドンカルボン酸エステル、アルギニン及びその塩、アルギニンオリゴマー（８〜１２量体）、ビタミンＰ等の血行促進成分を含有）との組み合わせ、
スクワレン（深海ザメエキス、オリーブ油、綿実油、アボカド油など）から選ばれる少なくとも１種と、血行改善剤（例えば、カプシノイド類、ピロリドンカルボン酸及びその塩、ピロリドンカルボン酸エステル、アルギニン及びその塩、アルギニンオリゴマー（８〜１２量体）、ビタミンＰ等の血行促進成分を含有）との組み合わせ、
等が挙げられるが、これらに限定されるものではない。
（３）育毛又は養毛に好ましい組み合わせ
ヒスチジン、グルタミンから選ばれる少なくとも１種と、血行改善剤（例えば、カプシノイド類、ピロリドンカルボン酸及びその塩、ピロリドンカルボン酸エステル、アルギニン及びその塩、アルギニンオリゴマー（８〜１２量体）、ビタミンＰ等の血行促進成分を含有）との組み合わせ、
ビタミンＡ、ビタミンＢ２、ビタミンＢ６、パントテン酸（ビタミンＢ５）、ビタミンＣ、ビタミンＥ、ビタミンＦ（不飽和脂肪酸）、ビオチン（ビタミンＨ）、ビタミンＢ１５（パンガミン酸）、ビタミンＱ（ユビキノン）、コエンザイムＱ１０、葉酸等のビタミン類から選ばれる少なくとも１種と、血行改善剤（例えば、カプシノイド類、ピロリドンカルボン酸及びその塩、ピロリドンカルボン酸エステル、アルギニン及びその塩、アルギニンオリゴマー（８〜１２量体）、ビタミンＰ等の血行促進成分を含有）との組み合わせ、
アデノシン及びそのリン酸エステルなどの核酸から選ばれる少なくとも１種と、血行改善剤（例えば、カプシノイド類、ピロリドンカルボン酸及びその塩、ピロリドンカルボン酸エステル、アルギニン及びその塩、アルギニンオリゴマー（８〜１２量体）、ビタミンＰ等の血行促進成分を含有）との組み合わせ、
亜鉛、硫黄、ヨウ素、鉄、カルシウム、銅等を含む各種ミネラルから選ばれる少なくとも１種と、血行改善剤（例えば、カプシノイド類、ピロリドンカルボン酸及びその塩、ピロリドンカルボン酸エステル、アルギニン及びその塩、アルギニンオリゴマー（８〜１２量体）、ビタミンＰ等の血行促進成分を含有）との組み合わせ、
等が挙げられるが、これらに限定されるものではない。
（４）抗しわなどの抗老化に好ましい組み合わせ
プロリン、アラニン、グルタミン、シスチン、テアニン等のアミノ酸から選ばれる少なくとも１種と、血行改善剤（例えば、カプシノイド類、ピロリドンカルボン酸及びその塩、ピロリドンカルボン酸エステル、アルギニン及びその塩、アルギニンオリゴマー（８〜１２量体）、ビタミンＰ等の血行促進成分を含有）との組み合わせ、
ビタミンＢ１（サイアミン）、ビタミンＢ２（リボフラビン）、ナイアシン（ニコチン酸）、ビタミンＡ、ビタミンＥ、ビタミンＢ１５（パンガミン酸）、ビタミンＣ、ビタミンＱ（ユビキノン）などのビタミン類から選ばれる少なくとも１種と、血行改善剤（例えば、カプシノイド類、ピロリドンカルボン酸及びその塩、ピロリドンカルボン酸エステル、アルギニン及びその塩、アルギニンオリゴマー（８〜１２量体）、ビタミンＰ等の血行促進成分を含有）との組み合わせ、
ポリフェノール（アントシアニン、カテキン、カカオマスポリフェノール、ケルセチン、イソフラボン、ケルセチン、クロロゲン酸）から選ばれる少なくとも１種と、血行改善剤（例えば、カプシノイド類、ピロリドンカルボン酸及びその塩、ピロリドンカルボン酸エステル、アルギニン及びその塩、アルギニンオリゴマー（８〜１２量体）、ビタミンＰ等の血行促進成分を含有）との組み合わせ、
カロテノイド（β−カロテン、ルテイン、リコピン）から選ばれる少なくとも１種と、血行改善剤（例えば、カプシノイド類、ピロリドンカルボン酸及びその塩、ピロリドンカルボン酸エステル、アルギニン及びその塩、アルギニンオリゴマー（８〜１２量体）、ビタミンＰ等の血行促進成分を含有）との組み合わせ、
等が挙げられるが、これらに限定されるものではない。
入力手段としては、利用者（顧客、販売者など情報を必要とする者）がサプリメント又は局所塗布剤の情報を入力可能な機器であれば特に限定されない。例えば、タッチパネル、キーボード、マウスなどの入力デバイスを備える端末や携帯型端末（例えば、携帯型情報端末、携帯電話など）などが例示される。
出力手段としては、コンピュータにより決定された局所塗布剤及び／又はサプリメント、またその併用の際の用法などの情報を出力可能なものであれば特に限定されない。例えば、各種ディスプレイ、プリンタなどの出力デバイスが例示される。
入力手段と出力手段は別々の装置であってもよいし、１つの装置が入力デバイスと出力デバイスの両方を備えて入力手段と出力手段の役割を兼任してもよい。
入力手段及び出力手段としては、携帯型端末を用いることが可能である。携帯型端末としては、携帯可能なコンピュータ、ＰＤＡ、携帯電話などが例示されるが、これらに限定されない。
データベースの形式は、各相関情報を記憶可能な形式であれば特に限定されず、汎用されているいかなるデータベース形式であってもよい。
データベースを記憶する媒体も特に限定されず、コンピュータが読み書き可能な、情報記憶媒体（半導体メモリ、フレキシブルディスク、ハードディスク等）又は光学記憶媒体（ＣＤ、ＤＶＤ等）等の記憶媒体が挙げられる。
なお、本発明によって提供される情報の提供先は、顧客本人であってもよいし、仲介者（例えば、物品の販売者など）であってもよい。
以下、図面を参照しつつ、本発明をより詳細に説明する。
本発明は、顧客に適するサプリメントと局所塗布剤との組み合わせの情報を顧客に提供する方法を提供する（図１）。
該方法は、少なくとも、図１のＳ１〜Ｓ５のステップを含む。
Ｓ１は、顧客の希望する改善部位及び該改善部位に望む改善効果を入力手段に入力するステップである。
Ｓ２は、コンピュータが、改善部位に望まれる改善効果と栄養成分の組成との相関の情報を事前に登録したデータベース１０に格納された情報を参照し、データベース１０に含まれる情報から、顧客の希望する改善部位に望む改善効果に対応する栄養成分の組成の情報を抽出することによって、該改善部位に望む改善効果に適する栄養成分の組成を決定するステップである。
Ｓ３は、コンピュータが、体の部位と該部位に栄養成分を行き渡らせるために適する局所塗布剤との相関の情報を事前に登録したデータベース１１に格納された情報を参照し、データベース１１に含まれる情報から、顧客の希望する改善部に適する局所塗布剤を抽出することによって、該決定された栄養成分を改善部位に行き渡らせるために適した局所塗布剤を決定するステップである。
Ｓ４は、コンピュータが、サプリメントとその栄養成分の組成が事前に登録されたデータベース１２を参照して、データベース１２に含まれる情報から、Ｓ２によって決定された栄養成分の組成に対応するサプリメントの情報を抽出することによって、該決定された栄養成分の組成を含むサプリメントを決定するステップである。
Ｓ５は、Ｓ１〜Ｓ４を経て、コンピュータにより決定されたサプリメント及び局所塗布剤の情報を出力手段に出力するステップである。
Ｓ５において出力される情報は、サプリメント、局所塗布剤、各１種類ずつのものである場合もありうるし、顧客が望む改善効果に適するサプリメントや局所塗布剤が２種類以上ある場合には、それぞれ２種類以上のものである場合もありうる。
また、Ｓ１〜Ｓ５に加えて、決定されたサプリメントと局所塗布剤との併用する際の用法及び／又は併用により期待される効果を出力手段に出力するステップ  （Ｓ６，図示せず）を含んでいてもよい。Ｓ６はＳ５と同時であってもよい。また、併用により期待される効果の情報は、別途のデータベースを用意し、それに情報を格納しておいてもよいし、データベース１１などの既設のデータベースに追加情報として含めておいてもよい。
本発明はまた、顧客が選択したサプリメントに適する局所塗布剤の情報を顧客に提供する方法を提供する（図２）。
該方法は、少なくとも、図２のＳ２１〜Ｓ２３のステップを含む。
Ｓ２１は、サプリメントの情報（サプリメントの名称など）を入力手段に入力するステップである。
Ｓ２２は、コンピュータが、サプリメントとサプリメントに含まれる栄養成分を改善部位に行き渡らせるために適した局所塗布剤との相関の情報を事前に登録したデータベース２０に格納された情報を参照し、データベース２０に含まれる情報から、Ｓ２１において入力されたサプリメントに含まれる栄養成分を改善部位に行き渡らせるために適した局所塗布剤の情報を抽出することによって、Ｓ２１において入力されたサプリメントに含まれる栄養成分を改善部位に行き渡らせるために適した局所塗布剤を選択するステップである。
サプリメントと局所塗布剤との相関は、サプリメントと局所塗布剤との直接的な相関であってもよいし、サプリメントに含まれる栄養成分の組成を介した間接的な相関であってもよい。
Ｓ２３は、Ｓ２２においてコンピュータにより選択された局所塗布剤の情報（局所塗布剤の名称など）を出力手段に出力するステップである。
Ｓ２３において出力される情報は、１種類の局所塗布剤のものである場合もありうるし、２種類以上のものである場合もありうる。
また、サプリメントと選択された局所塗布剤との併用の際の用法及び／又は併用により期待される効果を出力手段に出力するステップ（Ｓ２４，図示せず）をさらに含んでもよい。Ｓ２４はＳ２３と同時であってもよい。また、併用により期待される効果の情報は、別途のデータベースを用意し、それに情報を格納しておいてもよいし、データベース２０に追加情報として含めておいてもよい。
本発明はまた、顧客が選択した局所塗布剤に適するサプリメントの情報を顧客に提供する方法を提供する（図３）。
該方法は、少なくとも、図３のＳ３１〜Ｓ３３のステップを含む。
Ｓ３１は、局所塗布剤の情報（局所塗布剤の名称など）を入力手段に入力するステップである。
Ｓ３２は、局所塗布剤と局所塗布剤の塗布部位に行き渡らせるのに適したサプリメントとの相関の情報を事前に登録したデータベース３０に格納された情報を参照し、データベース３０に含まれる情報から、Ｓ３１において入力された局所塗布剤の塗布部位に行き渡らせるのに適したサプリメントの情報を抽出することによって、Ｓ３１において入力された局所塗布剤の塗布部位に行き渡らせるのに適したサプリメントをコンピュータが選択するステップである。
Ｓ３３は、Ｓ３２においてコンピュータにより決定されたサプリメントの情報（サプリメントの名称など）を出力手段に出力するステップである。
Ｓ３３において出力される情報は、１種類のサプリメントのものである場合もありうるし、２種類以上のものである場合もありうる。
また、サプリメントと局所塗布剤との併用の際の用法及び／又は併用により期待される効果を出力手段に出力するステップ（Ｓ３４，図示せず）をさらに含んでいてもよい。Ｓ３４はＳ３３と同時であってもよい。また、併用により期待される効果の情報は、別途のデータベースを用意し、それに情報を格納しておいてもよいし、データベース３０に追加情報として含めておいてもよい。
本発明はまた、カプシノイド類、ピロリドンカルボン酸及びその塩、ピロリドンカルボン酸エステル、アルギニン及びその塩、アルギニンオリゴマー、ニコチン酸、ナイアシン、カプサイシン、ビタミンＥ、センブリエキス、セファランチン、イソロイシン、塩化カルプロニウム、ミノキシジル、ショウキョウチンキ、カンタリスチンキ、ニコチン酸ベンジル、γ−オリザノール、ニンニクエキス、ニンジンエキス、当帰エキス、ゲンチアナエキス、ラズベリーケトン、アスタキサンチン、サポニン、ビタミンＢ１、フラボノイド、ルチン、硫化アリル、ナイアシンアミド、ニコチン酸トコフェロール、カンフル、アミノ酪酸、セファランチン、センキュウ、プラセンタエキス、オランダカラシエキス、カロットエキス、クララエキス、コムギ胚芽エキス、サフランエキス、ショウキョウエキス、センキュウエキス、ボタンエキス、アシタバエキス、ウイキョウエキス、カモミラエキス、ゴボウエキス、サンザシエキス、シイタケエキス、ショウブ根エキス、セイヨウサンザシエキス、セイヨウネズエキス、タイムエキス、チンピエキス、トウニンエキス、トウヒエキス、ノバラエキス、ブドウ葉エキス、マロニエエキス、メリッサエキス、ユズエキス、ヨクイニンエキス、ローズマリーエキス及びイチョウエキスからなる群から選ばれる少なくとも１種の血行促進成分を含有する局所塗布剤を経皮塗布するのと前後して、システイン、システイン誘導体、シスチン、シスチン誘導体、ビタミンＣ、ポリフェノール、タンニン酸、ビタミンＥ、ビタミンＥ誘導体、カテキン、ナイアシン、ハイドロキシチロソール、不飽和脂肪酸、ビタミンＰ、ビタミンＱ、グルタチオン、イソフラボン、グァバ、セレン及び酸化亜鉛からなる群から選ばれる少なくとも１種を含有するサプリメントを経口適用する、しみの予防・改善方法を提供する。
上記方法において、「前後して」とは、局所塗布剤の経皮塗布によって、局所塗布剤を塗布しないときに比べて、上記サプリメントがしみの予防・改善効果をより効果的に奏することができれば、局所塗布剤の経皮塗布とサプリメントの経口適用との順番はどちらが先であってもよく、またその間には適当な時間をおいてもよいことを意味する。特に限定するわけではないが、そのような時間としては、例えば、０〜３時間、好ましくは、３０分〜２時間、より好ましくは３０分〜１時間程度が挙げられる。
本発明はまた、カプシノイド類、ピロリドンカルボン酸及びその塩、ピロリドンカルボン酸エステル、アルギニン及びその塩、アルギニンオリゴマー、ニコチン酸、ナイアシン、カプサイシン、ビタミンＥ、センブリエキス、セファランチン、イソロイシン、塩化カルプロニウム、ミノキシジル、ショウキョウチンキ、カンタリスチンキ、ニコチン酸ベンジル、γ−オリザノール、ニンニクエキス、ニンジンエキス、当帰エキス、ゲンチアナエキス、ラズベリーケトン、アスタキサンチン、サポニン、ビタミンＢ１、フラボノイド、ルチン、硫化アリル、ナイアシンアミド、ニコチン酸トコフェロール、カンフル、アミノ酪酸、セファランチン、センキュウ、プラセンタエキス、オランダカラシエキス、カロットエキス、クララエキス、コムギ胚芽エキス、サフランエキス、ショウキョウエキス、センキュウエキス、ボタンエキス、アシタバエキス、ウイキョウエキス、カモミラエキス、ゴボウエキス、サンザシエキス、シイタケエキス、ショウブ根エキス、セイヨウサンザシエキス、セイヨウネズエキス、タイムエキス、チンピエキス、トウニンエキス、トウヒエキス、ノバラエキス、ブドウ葉エキス、マロニエエキス、メリッサエキス、ユズエキス、ヨクイニンエキス、ローズマリーエキス及びイチョウエキスからなる群から選ばれる少なくとも１種の血行促進成分を含有する局所塗布剤と、該局所塗布剤が塗布される被験者に経口投与されるために用いる、システイン、システイン誘導体、シスチン、シスチン誘導体、ビタミンＣ、ポリフェノール、タンニン酸、ビタミンＥ、ビタミンＥ誘導体、カテキン、ナイアシン、ハイドロキシチロソール、不飽和脂肪酸、ビタミンＰ、ビタミンＱ、グルタチオン、イソフラボン、グァバ、セレン及び酸化亜鉛からなる群から選ばれる少なくとも１種を含有するサプリメントとから構成される、しみの予防・改善用キットを提供する。このキットは、当該キットをしみの予防・改善に用いるために最適な使用法を記した使用説明書を含んでいてもよい。
本発明はまた、しみの予防又は改善を希望する部位にカプシノイド類、カプシノイド誘導体、ピロリドンカルボン酸及びその塩、ピロリドンカルボン酸エステル、アルギニン及びその塩、アルギニンオリゴマー、ニコチン酸、ナイアシン、カプサイシン、ビタミンＥ、センブリエキス、セファランチン、イソロイシン、塩化カルプロニウム、ミノキシジル、ショウキョウチンキ、カンタリスチンキ、ニコチン酸ベンジル、γ−オリザノール、ニンニクエキス、ニンジンエキス、当帰エキス、ゲンチアナエキス、ラズベリーケトン、アスタキサンチン、サポニン、ビタミンＢ１、フラボノイド、ルチン、硫化アリル、ナイアシンアミド、ニコチン酸トコフェロール、カンフル、アミノ酪酸、セファランチン、センキュウ、プラセンタエキス、オランダカラシエキス、カロットエキス、クララエキス、コムギ胚芽エキス、サフランエキス、ショウキョウエキス、センキュウエキス、ボタンエキス、アシタバエキス、ウイキョウエキス、カモミラエキス、ゴボウエキス、サンザシエキス、シイタケエキス、ショウブ根エキス、セイヨウサンザシエキス、セイヨウネズエキス、タイムエキス、チンピエキス、トウニンエキス、トウヒエキス、ノバラエキス、ブドウ葉エキス、マロニエエキス、メリッサエキス、ユズエキス、ヨクイニンエキス、ローズマリーエキス及びイチョウエキスからなる群から選ばれる少なくとも１種の血行促進成分を含有する局所塗布剤が塗布された被験者のしみを予防又は改善するための、システイン、システイン誘導体、シスチン、シスチン誘導体、ビタミンＣ、ポリフェノール、タンニン酸、ビタミンＥ、ビタミンＥ誘導体、カテキン、ナイアシン、ハイドロキシチロソール、不飽和脂肪酸、ビタミンＰ、ビタミンＱ、グルタチオン、イソフラボン、グァバ、セレン及び酸化亜鉛からなる群から選ばれる少なくとも１種を含有するしみの予防・改善剤を提供する。
本発明はまた、顧客に適するサプリメントと局所塗布剤との組み合わせの情報を顧客に提供するシステムを提供する。該システムは、図１を参照して上述で説明した方法を実施するために使用されうるシステムである。
該システムは、
顧客の希望する改善部位を入力する入力手段と、
改善部位に望まれる改善効果と栄養成分の組成との相関の情報を登録した第１のデータベース１０と、
体の部位と該部位に栄養成分を行き渡らせるために適した局所塗布剤との相関の情報を登録した第２のデータベース１１と、
サプリメントとその栄養成分の組成が登録された第３のデータベース１２と、
コンピュータにより決定されたサプリメントと局所塗布剤の情報を表示する出力手段とを備える。
該システムを統括するコンピュータ（中央演算装置）は、第１のデータベース１０を参照して、該改善部位に適する栄養成分の組成を決定し（図１のＳ２に相当）、第２のデータベース１１を参照して、該改善部位に適する栄養成分の組成を改善部位に行き渡らせるために適した局所塗布剤を決定し（図１のＳ３に相当）、第３のデータベース１２を参照して、該決定された栄養成分の組成を含むサプリメントを決定する（図１のＳ４に相当）。
このシステムは、図４に示すように、ローカルの中央演算装置（ＣＰＵ）２により統括されるシステムであってもよいし、図５に示すように、ネットワーク１００を介し、外部の管理サーバ３が備えるＣＰＵにより統括されるものであってもよい。ネットワーク１００としては、各入出力情報、プログラム情報を搬送することが可能なものであれば、特に限定されないが、コンピュータネットワーク、例えば、ＬＡＮ、インターネット等のＷＡＮ、無線通信ネットワークなどが挙げられる。図４及び図５に示すように入力手段に出力手段を兼任させてもよいし、それぞれを別々に用意してもよい。なお、図４及び図５には、本発明のうちの１つの実施形態のシステムのみを例示したが、以下に記載する他の実施形態のシステムにおいても同様に、入力手段、出力手段、ＣＰＵ、各データベースをローカル接続してもよいし、ネットワーク接続してもよいことは当業者には明らかである。
また、本発明の方法及びシステムは、上述のようにネットワークを介して実施が可能であるため、通信販売の用途にも適している。
以下に、通信販売の一例を記載するが、本発明がこの態様のみに限定されるわけではない。
インターネットや専用線などに接続した情報端末（携帯情報端末を含む）を介して、物品の購入を希望する利用者が販売者の販売サイトにアクセスする。
情報端末が備える出力手段（例えば、ディスプレイ）に表示される販売者からの指示に従い、キーボード、マウス、ボタンなどによる操作を行って、必要な情報を入力する。
本発明の方法及びシステムにより、利用者に情報が出力手段に提供される。
なお、該情報とともに、既存のオンラインショッピングサイトなどで表示されるような商品購入ボタンや詳細表示ボタンなどが併せて提示されてもよい。
本発明はまた、顧客が選択したサプリメントに適する局所塗布剤の情報を提供するシステムを提供する。該システムは図２を参照して上述で説明した方法を実施するために使用されうるシステムである。
該システムは、
サプリメントの情報を入力する入力手段と、
サプリメントと局所塗布剤との相関の情報を登録したデータベース２０と、
コンピュータにより決定された局所塗布剤を表示する表示手段とを備える。
該システムを統括するコンピュータ（ＣＰＵ）は、データベース２０を参照して、該サプリメントに適する局所塗布剤を決定する（図２におけるＳ２２に相当）。
本発明はまた、顧客が選択した局所塗布剤に適するサプリメントを顧客に提供するシステムを提供する。該システムは図３を参照して上述で説明した方法を実施するために使用されうるシステムである。
該システムは、
局所塗布剤の情報を入力する入力手段と、
局所塗布剤とサプリメントとの相関の情報を登録したデータベース３０と、
コンピュータにより決定されたサプリメントを表示する表示手段とを備える。
該システムを統括するコンピュータ（ＣＰＵ）は、データベース３０を参照して、局所塗布剤に適するサプリメントを選択する（図３におけるＳ３２に相当）。
本発明はまた、上述のシステムとしてコンピュータを機能させるためのプログラムも提供する。該プログラムは上述のシステムとしてコンピュータを機能させることが可能であれば、どのような言語で記述されていてもよい。
該プログラムの記憶媒体としては、コンピュータが読み書き可能な情報格納手段（半導体メモリ、フレキシブルディスク、ハードディスク等）又は光読出手段（ＣＤ−ＲＯＭ、ＤＶＤ等）等の記憶媒体が挙げられ、また、プログラム情報を搬送波として伝搬させて供給するためのコンピュータネットワーク（ＬＡＮ、インターネット等のＷＡＮ、無線通信ネットワーク等）により接続し外部の記憶媒体にプログラムを記憶しておいてもよい。
本発明はまた、サプリメントと局所塗布剤との併用物であって、該サプリメントと局所塗布剤との併用情報記載文書を付してなる併用物も提供する。
局所塗布剤としては、前記のものが使用されうる。
併用情報記載文書としては、当該併用による併用効果（ここに、効果は作用をも含む概念である）、併用方法を包含するものである。
併用効果は、先に説明した「改善部位に臨む改善効果」に対応する概念である。
併用方法は、サプリメントと局所塗布剤との併用条件、例えば両者の投与時期などの指示が挙げられる。
本発明の併用物の特に好ましい態様は次の通りである。
サプリメントが、システイン、システイン誘導体、シスチン、ビタミンＣ、ポリフェノール、タンニン酸、ビタミンＥ、ビタミンＥ誘導体、カテキン、ナイアシン、ハイドロキシチロソール、不飽和脂肪酸、ビタミンＰ、ビタミンＱ、グルタチオン、イソフラボン、グァバ、セレン及び酸化亜鉛からなる群から選ばれる少なくとも１種を含有し、局所塗布剤が血行促進成分を含有し、併用情報として、皮膚のしみの予防・改善のために用いられるものである旨を記載した文書を付してなる併用物。
サプリメントがミネラル、ビタミン、アミノ酸、糖質、脂質、イノシトール、イオウ、核酸、コラーゲン、セサミノール及びクエン酸からなる群から選ばれる少なくとも１種を含有し、局所塗布剤が血行促進成分を含有し、併用情報として、頭皮の育毛促進のために用いられるものである旨を記載した文書を付してなる併用物。
本発明はさらに、局所塗布剤と併用することを記載してなる文書を付してなるサプリメントを提供する。その際、「局所塗布剤と併用すること」に加えて、上記の併用情報、特に併用効果、併用方法をも併記することが好ましい。
本発明のサプリメントの特に好ましい態様は次の通りである。
サプリメントがシステイン、システイン誘導体、シスチン、ビタミンＣ、ポリフェノール、タンニン酸、ビタミンＥ、ビタミンＥ誘導体、カテキン、ナイアシン、ハイドロキシチロソール、不飽和脂肪酸、ビタミンＰ、ビタミンＱ、グルタチオン、イソフラボン、グァバ、セレン及び酸化亜鉛からなる群から選ばれる少なくとも１種を含有し、局所塗布剤が血行促進成分を含有し、併用情報として、皮膚のしみの予防・改善のために用いられるものである旨を記載した文書を付してなるサプリメント。
サプリメントが、ミネラル、ビタミン、アミノ酸、糖質、脂質、イノシトール、イオウ、核酸、コラーゲン、セサミノール及びクエン酸からなる群から選ばれる少なくとも１種を含有し、局所塗布剤が血行促進成分を含有し、併用情報として、頭皮の育毛促進のために用いられるものである旨を記載した文書を付してなるサプリメント。
さらにまた、本発明はサプリメントと併用することを記載してなる文書を付してなる局所塗布剤を提供する。その際、「サプリメントと併用すること」に加えて、上記の併用情報、特に併用効果、併用方法をも併記することが好ましい。
本発明の局所塗布剤の特に好ましい態様は次の通りである。
サプリメントがシステイン、システイン誘導体、シスチン、ビタミンＣ、ポリフェノール、タンニン酸、ビタミンＥ、ビタミンＥ誘導体、カテキン、ナイアシン、ハイドロキシチロソール、不飽和脂肪酸、ビタミンＰ、ビタミンＱ、グルタチオン、イソフラボン、グァバ、セレン及び酸化亜鉛からなる群から選ばれる少なくとも１種を含有し、局所塗布剤が血行促進成分を含有し、併用情報として皮膚のしみの予防・改善のために用いられるものである旨を記載した文書を付してなる局所塗布剤。
サプリメントが、ミネラル、ビタミン、アミノ酸、糖質、脂質、イノシトール、イオウ、核酸、コラーゲン、セサミノール及びクエン酸からなる群から選ばれる少なくとも１種を含有し、局所塗布剤が血行促進成分を含有し、併用情報として頭皮の育毛促進のために用いられるものである旨を記載した文書を付してなる局所塗布剤。
以下、本発明の方法により提供される局所塗布剤とサプリメントが、顧客満足度の高い商品を顧客に提供することが可能であることを実証すべく、該方法を用いて決定される局所塗布剤とサプリメントとの併用効果を証明する実施例を記載する。
【実施例】
【０００５】
実施例１  局所塗布剤による全身投与成分の局所濃度上昇
ヘアレスマウス（ＨＲ−１、雌）にトリパンブルー溶液（０．４％、３００μｌ）の腹腔注射を行った。注射後、背部右片側に５％カプシエイト（エタノール溶液に溶解）をピペットチップを使い均一に１００μｌを塗布した。背部左片側にはエタノールのみを同様の方法にて、コントロールとして１００μｌ均一に塗布した。塗布後、１５〜２０分経過後からカプシエイト塗布側にのみトリパンブルー溶液由来の青色色素の皮膚への沈着が確認されるようになった。塗布後３０分経過すると、カプシエイト塗布部位で明らかな青色色素の皮膚への沈着（浸潤）が認められるようになった（図６参照）。また、背部にカプシエイトを塗布した側と異なる側のマウス耳介に、５％カプシエイト（エタノール溶液に溶解）を塗布すると、塗布した耳介側近辺にも３０〜６０分経過後に青色色素の沈着が確認された。これにより、血管拡張効果を持つカプシエイトを皮膚に塗布することで、塗布部位の血行促進効果が起こり、腹部に投与された物質（色素）が塗布部位に選択的に集められることが実証された。
実施例２  酢酸トコフェノールの経口投与と血行促進剤の経皮塗布のシナジー効果
酢酸トコフェロールとジヒドロカプシエイトのシナジー効果を、色素沈着誘導マウスを用い、紫外線（ＵＶＢ）による色素沈着の誘導抑制により確認した。
（１）紫外線（ＵＶＢ）照射を開始する前に、ヘアレスマウス（１２週齢、雌）に、酢酸トコフェロール（２００μｌ）をゾンデにより１回／日、３日間経口投与した。
（２）（１）の３日間の経口投与後、ヘアレスマウスに、ＵＶＢ（８０〜９０ｍＪ／ｃｍ２）を照射した。
（３）（２）の照射３０分後、ヘアレスマウスに、酢酸トコフェロール（２００μｌ）をゾンデにより経口投与した。経口投与の５分後、ヘアレスマウスの背部左側に、５０ｗｔ％エチルアルコールに溶解した５ｗｔ％ジヒドロカプシエイトを２８μｌ塗布した。
（２）及び（３）の処置を３回／週（月、水、金）行い、（３）の処置のみを２回／週（火、木）行った。紫外線照射を開始して約３週間後のマウス背部皮膚を目視にて評価した。ジヒドロカプシエイトを塗布した左側背部が無塗布部位（背部右側）に比べ色素沈着が起きないことが確認された（図８ａ）。ジヒドロカプシエイトの代わりに溶媒（５０ｗｔ％エチルアルコール）を塗布したヘアレスマウスを用いた対照実験では、背部右側と左側で色素沈着の明らかな差は認められなかった（図８ｂ）。また、酢酸トコフェロールを経口投与せず、ジヒドロカプシエイトのみを塗布したヘアレスマウスを用いた別の対照実験では、ＵＶＢ照射を行うと塗布部位に色素沈着が誘発された（図８ｃ）。さらに、今回ヘアレスマウス背部左側（ジヒドロカプシエイト塗布部位）に確認された色素沈着の抑制効果は、酢酸トコフェロールの投与及びジヒドロカプシエイトの塗布を中止し、ＵＶＢを上記（２）の方法で照射し続けると効果がなくなり、色素沈着の誘導が起き始めることも確認された。
これらの結果から、酢酸トコフェロール（２００μｌ）の経口投与単独、または、ジヒドロカプシエイトの塗布単独では、ヘアレスマウス背部へのＵＶＢ照射による色素沈着誘導を抑制することはできなかったことがわかる。しかし、酢酸トコフェロールの経口投与とジヒドロカプシエイトの経皮塗布のシナジー効果により、それぞれ単独では抑制できなかったＵＶＢによる色素沈着誘導を抑制することができることが確認された。
実施例３  シスチンの経口投与と血行促進剤の経皮塗布のシナジー効果
経口投与剤としてシスチンを用い、実施例２と同様な実験を行った。すなわち、シスチン５０ｍｇを０．５％ＣＭＣ（カルボキシメチルセルロース）水溶液１５０μｌに溶解し経口投与サンプルとし、塗布サンプルとして５％ジヒドロカプシエイト（５０％エタノール水溶液）を用いた。前投与は行わず、紫外線（ＵＶＢ）を照射し、実施例２と同様な実験スケジュールに基づきマウス背部色素沈着の黒色度の抑制効果に対し、経口投与剤と血行促進剤とのシナジー効果を確認した。ジヒドロカプシエイト塗布群において、色素沈着の誘導の抑制を目視にて評価した。紫外線照射開始後、約３週間後及び約４週間後の色素沈着の程度を図９に示した。コントロール（５０％エタノール水溶液塗布群）に比べ、ジヒドロカプシエイトを塗布した群の色素沈着誘導が明らかに抑制されたのが確認された。
目視判定基準
０：色素沈着なし
１：薄い色素沈着の斑点が一部ある
２：薄い色素沈着の斑点が背部全体にある
３：色素沈着の斑点が背部全体にある（部分的に濃い色素沈着あり）
４：濃い色素沈着の斑点が背部全体にある
５：濃い色素沈着が背部全体にある
参考例１
カプシエイトとカプサイシンの血管拡張効果（血行改善効果）についてヘアレスマウス耳介を用いて比較した。
［試験法］
ヘアレスマウス（ＨＲ−１、メス）の右耳にサンプル、左耳にコントロールを塗布し、紅斑の発生の有無を目視にて評価した。
サンプル：
（１）カプシエイト（１ｗｔ％又は５ｗｔ％を流動パラフィンに溶解）
（２）カプサイシン（１ｗｔ％又は５ｗｔ％を流動パラフィンに分散）
コントロール：
流動パラフィン
［結果］
目視判定の結果、１ｗｔ％ではカプサイシンでは紅斑が認められたのに対し、カプシエイトでは紅斑は発生せず、５ｗｔ％では塗布後３０分経過後よりカプサイシン、カプシエイトともに明確な耳介の紅斑が確認された。また、発生した紅斑は、カプシエイトでは約２時間後に完全に消失したのに対し、カプサイシンでは１ｗｔ％塗布でも、２時間後も紅斑は初期の状態を維持していた。一方、コントロールの流動パラフィン塗布では、紅斑は認められなかった。尚、カプサイシンは流動パラフィンに完全には溶解せず、１ｗｔ％、５ｗｔ％ともに分散状態での評価であった。
この結果より、カプサイシンは強力な血行促進作用と長い持続性を有するのに対し、カプシエイトは適度な持続性と強度を有し、化粧用途にはより好適な血行促進成分であることが判明した。
以下にカプシノイド類を血行改善剤として局所塗布剤として配合する場合の配合例を示す。なお、カプシノイド類に換えて他の血行改善剤を同様に配合することができる。
［配合例１］クリーム
カプシエイト                                                １．０ｗｔ％
ステアリン酸                                                ２．０
ポリオキシエチレン（２５）セチルエーテル                    ３．０
モノステアリン酸グリセリル                                  ２．０
オクチルドデカノール                                      １０．０
セタノール                                                  ６．０
還元ラノリン                                                ４．０
スクワラン                                                  ９．０
１，３−ブチレングリコール                                  ６．０
ポリエチレングリコール（１５００）                          ４．０
防腐剤                                                      適量
香料                                                        適量
酸化防止剤                                                  適量
精製水                                                      適量
［配合例２］  乳液
カプシエイト                                                ２．０ｗｔ％
セスキオレイン酸ソルビタン                                  ２．０
ポリオキシエチレンオレオイルエーテル                        ２．５
ステアリルアルコール                                        ０．５
硬化パーム油                                                ３．０
流動パラフィン                                            ３５．０
ジプロピレングリコール                                      ６．０
ポリエチレングリコール（４００）                            ４．０
カルボキシビニルポリマー（１％水溶液）                    １５．０
防腐剤                                                      適量
香料                                                        適量
精製水                                                      残部
［配合例３］  ジェル
カプシエイト                                                ０．５ｗｔ％
流動パラフィン                                            １２．０
トリ（２−エチルヘキサン酸）グリセリル                    ５０．０
ソルビット                                                １０．０
ポリエチレングリコール（４００）                            ５．０
アシルメチルタウリン                                        ５．０
ポリオキシエチレン（２０）イソセチルエーテル              １０．０
香料                                                        適量
防腐剤                                                      適量
精製水                                                      残部
［配合例４］  美容液
ジヒドロカプシエイト                                        １．０ｗｔ％
ｐ−メトキシケイ皮酸−２−エチルヘキシル                    ４．０
３，３’−（１，４−フェニレンジメチリヂン）
ビス（７，７−ジメチル−２−オキソ−
ビシクロ（２，２，１）へプタン−１−メタンスルフォン酸）  ４．０
ポリオキシエチレンセチルエーテル                            ２．０
モノステアリン酸グリセリン                                  ２．０
ステアリン酸                                                ３．０
セタノール                                                  １．０
ラノリン                                                    ３．０
流動パラフィン                                              ５．０
ステアリン酸２−エチルヘキシル                              ３．０
１，３−ブチレングリコール                                  ６．０
香料                                                        適量
防腐剤                                                      適量
精製水                                                      残部
［配合例５］  化粧水
カプシエイト                                                ３．０ｗｔ％
グリセリン                                                  ３．０
ソルビトール                                                ２．０
ポリオキシエチレン（２０）オレイルエーテル                  １．０
エタノール                                                １５．０
パラフェノールスルフォン酸亜鉛                              ０．２
香料                                                        適量
防腐剤                                                      適量
精製水                                                      残部
［配合例６］  育毛剤
カプシエイト                                                ２．０ｗｔ％
センブリエキス                                              ０．１
ヒアルロン酸                                                ０．２
ヒノキチオール                                              ０．２
ビタミンＢ６                                                ０．５
ビタミンＥ                                                  ０．５
尿素                                                        ２．５
プロピレングリコール                                        ４．０
エタノール                                                ５０．０
香料                                                        適量
防腐剤                                                      適量
精製水                                                      残部
［配合例７］  ゼリー状ピールオフパック
カプシエイト                                                ２．０ｗｔ％
ホホバ油                                                    １．０
スクワラン                                                  １．０
ＰＥＧ４００                                                ５．０
ソルビトール                                                ５．０
エタノール                                                  ８．０
ポリビニルアルコール                                      １０．０
ポリ酢酸ビニルエマルション                                １５．０
酸化チタン                                                  ５．０
タルク                                                    １０．０
ＰＯＥソルビタンモノステアリン酸エステル                    １．０
香料                                                        適量
防腐剤                                                      適量
精製水                                                      残部
【産業上の利用可能性】
【０００６】
本発明の方法によれば、顧客の希望する改善部位と該部位に望む改善効果を顧客が申し出ることによって、顧客の目的に適したサプリメントと局所塗布剤の情報を得ることができ、これにより顧客の購買意欲が喚起されるとともに、顧客満足度の高い商品を顧客に提供することができる。
また、本発明の併用剤、サプリメント、局所塗布剤によれば、サプリメントの効果をより効果的に発揮させることが出来る。
以上、本発明の具体的な態様のいくつかを詳細に説明したが、当業者であれば示された特定の態様には、本発明の教示と利点から実質的に逸脱しない範囲で様々な修正と変更をなすことは可能である。従って、そのような修正及び変更も、すべて後述の請求の範囲で請求される本発明の精神と範囲内に含まれるものである。
本出願は、日本で出願された特願２００５−２１９６６９を基礎としており、それらの内容は本出願にすべて包含されるものである。
［配列表］
2007013690.tif 000003
2007013690.tif 000004
【図１】
2007013690.tif 000005
【図２】
2007013690.tif 000006
【図３】
2007013690.tif 000007
【図４】
2007013690.tif 000008
【図５】
2007013690.tif 000009
【図６】
2007013690.tif 000010
【図７】
2007013690.tif 000011
【図８ａ】
2007013690.tif 000012
【図８ｂ】
2007013690.tif 000013
【図８ｃ】
2007013690.tif 000014
【図９】
2007013690.tif 000015
【国際調査報告】
2007013690.tif 000016
2007013690.tif 000017
2007013690.tif 000018
2007013690.tif 000019